(57)【要約】ＤＣＩフォーマットを含むＰＤＣＣＨを受信する受信部と、サブフレームnにおける前記ＰＤＣＣＨの検出に基づいて、サブフレームn+ｋにおいて、対応するＰＵＳＣＨ送信を実行する送信部と、を備え、前記kの値は、前記ＰＤＣＣＨが検出されたサーチスペースがＣＳＳおよびＵＳＳのいずれかに基づいて、与えられる。
2018016619.tif 000002
【特許請求の範囲】
【請求項１】
ＤＣＩフォーマットを含むＰＤＣＣＨを受信する受信部と、
サブフレームnにおける前記ＰＤＣＣＨの検出に基づいて、サブフレームn+ｋにおいて、ＰＵＳＣＨ送信を実行する送信部と、
を備え、
前記kの値は、前記検出されたＰＤＣＣＨのサーチスペースが、ＣＳＳまたはＵＳＳのいずれかに基づいて、与えられる
端末装置。
【請求項２】
前記ＵＳＳにおいて前記ＰＤＣＣＨが検出された場合、ｋの値は３であり、
前記ＣＳＳにおいて前記ＰＤＣＣＨが検出された場合、ｋの値は４である
請求項１に記載の端末装置。
【請求項３】
前記ＰＤＣＣＨで送信されるＤＣＩフォーマットに付加されるＣＲＣパリティビットがＣ−ＲＮＴＩによってスクランブルされている
請求項２に記載の端末装置。
【請求項４】
ＤＣＩフォーマットを含むＰＤＣＣＨを送信する送信部と、
サブフレームnにおける前記ＰＤＣＣＨの検出に基づいて、サブフレームn+ｋにおいて、ＰＵＳＣＨ受信を実行する受信部と、
を備え、
前記kの値は、前記検出されたＰＤＣＣＨのサーチスペースが、ＣＳＳまたはＵＳＳのいずれかに基づいて、与えられる
基地局装置。
【請求項５】
前記ＵＳＳにおいて前記ＰＤＣＣＨが検出された場合、ｋの値は３であり、
前記ＣＳＳにおいて前記ＰＤＣＣＨが検出された場合、ｋの値は４である
請求項４に記載の基地局装置。
【請求項６】
前記ＰＤＣＣＨで送信されるＤＣＩフォーマットに付加されるＣＲＣパリティビットがＣ−ＲＮＴＩによってスクランブルされている
請求項５に記載の基地局装置。
【請求項７】
端末装置に用いられる通信方法であって、
ＤＣＩフォーマットを含むＰＤＣＣＨを受信し、
サブフレームnにおける前記ＰＤＣＣＨの検出に基づいて、サブフレームn+ｋにおいて、ＰＵＳＣＨ送信を実行し、
前記kの値は、前記検出されたＰＤＣＣＨのサーチスペースが、ＣＳＳまたはＵＳＳのいずれかに基づいて、与えられる
通信方法。
【請求項８】
前記ＵＳＳにおいて前記ＰＤＣＣＨが検出された場合、ｋの値は３であり、
前記ＣＳＳにおいて前記ＰＤＣＣＨが検出された場合、ｋの値は４である
請求項７に記載の通信方法。
【請求項９】
前記ＰＤＣＣＨで送信されるＤＣＩフォーマットに付加されるＣＲＣパリティビットがＣ−ＲＮＴＩによってスクランブルされている
請求項８に記載の通信方法。
【請求項１０】
基地局装置に用いられる通信方法であって、
ＤＣＩフォーマットを含むＰＤＣＣＨを送信し、
サブフレームnにおける前記ＰＤＣＣＨの検出に基づいて、サブフレームn+ｋにおいて、対応するＰＵＳＣＨ受信を実行し、
前記kの値は、前記検出されたＰＤＣＣＨのサーチスペースが、ＣＳＳまたはＵＳＳのいずれかに基づいて、与えられる
通信方法。
【請求項１１】
前記ＵＳＳにおいて前記ＰＤＣＣＨが検出された場合、ｋの値は３であり、
前記ＣＳＳにおいて前記ＰＤＣＣＨが検出された場合、ｋの値は４である
請求項１０に記載の通信方法。
【請求項１２】
前記ＰＤＣＣＨで送信されるＤＣＩフォーマットに付加されるＣＲＣパリティビットがＣ−ＲＮＴＩによってスクランブルされている
請求項１１に記載の通信方法。
【発明の詳細な説明】
【技術分野】
【０００１】
本発明は、端末装置、基地局装置、通信方法、および、集積回路に関する。
本願は、２０１６年７月２２日に日本に出願された特願２０１６−１４４０８４号について優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する）が、第三世代パートナーシッププロジェクト（3rd Generation Partnership Project : 3GPP）において検討されている（非特許文献１）。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。ここで、単一の基地局装置は複数のセルを管理してもよい。【０００３】
３ＧＰＰにおいて、待ち時間の縮小の強化（latency reduction enhancements）が検討されている。例えば、待ち時間の縮小の解決策として、セミパーシステントスケジューリング（Semi-Persistent Scheduling : SPS）や上りリンクグラント受信（UL Grant reception）、設定されたセミパーシステントスケジューリングの活性化および非活性化（Configured SPS activation and deactivation）が検討されている（非特許文献１）。また、レガシー（１ms）送信時間間隔（Transmission Time Interval, TTI）に対して、処理時間を短縮する検討が始まっている。（非特許文献２）
【先行技術文献】
【非特許文献】
【０００４】
【非特許文献１】"3GPP TR 36.881 V0.5.2 (2016-02) Evolved Universal Terrestrial Radio Access (E-UTRA); Study on latency reduction techniques for LTE (Release13)", R2-161963, Ericsson.
【非特許文献２】"Work Item on shortened TTI and processing time for LTE", RP-161299, Ericsson, 3GPP TSG RAN Meeting#72, Busan, Korea, June 13-16, 2016
【発明の概要】
【発明が解決しようとする課題】
【０００５】
しかしながら、上述のような無線通信システムにおいて、ＴＴＩにおける処理時間を短縮する手順について、具体的な方法は十分に検討されていなかった。【０００６】
本発明の一態様は、効率的に通信が行うことができる端末装置、基地局装置、通信方法、および、集積回路を提供する。
【課題を解決するための手段】
【０００７】
（１）上記の目的を達成するために、本発明の態様は、以下のような手段を講じた。すなわち、本発明の態様Ａは端末装置であって、ＤＣＩフォーマットを含むＰＤＣＣＨを受信する受信部と、サブフレームnにおける前記ＰＤＣＣＨの検出に基づいて、サブフレームn+ｋにおいて、ＰＵＳＣＨ送信を実行する送信部と、を備え、前記kの値は、前記検出されたＰＤＣＣＨのサーチスペースが、ＣＳＳまたはＵＳＳのいずれかに基づいて、与えられる。【０００８】
（２）本発明の態様Ｂは基地局装置であって、ＤＣＩフォーマットを含むＰＤＣＣＨを送信する送信部と、サブフレームnにおける前記ＰＤＣＣＨの検出に基づいて、サブフレームn+ｋにおいて、ＰＵＳＣＨ受信を実行する受信部と、を備え、前記kの値は、前記検出されたＰＤＣＣＨのサーチスペースが、ＣＳＳまたはＵＳＳのいずれかに基づいて、与えられる。【０００９】
（３）本発明の態様Ｃは、端末装置に用いられる通信方法であって、ＤＣＩフォーマットを含むＰＤＣＣＨを受信し、サブフレームnにおける前記ＰＤＣＣＨの検出に基づいて、サブフレームn+ｋにおいて、対応するＰＵＳＣＨ送信を実行し、前記kの値は、前記検出されたＰＤＣＣＨのサーチスペースが、ＣＳＳまたはＵＳＳのいずれかに基づいて、与えられる。【００１０】
（４）本発明の態様Ｄは、基地局装置に用いられる通信方法であって、ＤＣＩフォーマットを含むＰＤＣＣＨを送信し、サブフレームnにおける前記ＰＤＣＣＨの検出に基づいて、サブフレームn+ｋにおいて、対応するＰＵＳＣＨ受信を実行し、前記kの値は、前記検出されたＰＤＣＣＨのサーチスペースが、ＣＳＳまたはＵＳＳのいずれかに基づいて、与えられる。【００１１】
（５）本発明の態様Ｅは、端末装置に実装される集積回路であって、ＤＣＩフォーマットを含むＰＤＣＣＨを受信する受信回路と、サブフレームnにおける前記ＰＤＣＣＨの検出に基づいて、サブフレームn+ｋにおいて、対応するＰＵＳＣＨ送信を実行する送信回路と、を備え、前記kの値は、前記検出されたＰＤＣＣＨのサーチスペースが、ＣＳＳまたはＵＳＳのいずれかに基づいて、与えられる。【００１２】
（６）本発明の態様Ｆは、基地局装置に実装される集積回路であって、ＤＣＩフォーマットを含むＰＤＣＣＨを送信する送信回路と、サブフレームnにおける前記ＰＤＣＣＨの検出に基づいて、サブフレームn+ｋにおいて、対応するＰＵＳＣＨ受信を実行する受信回路と、を備え、前記kの値は、前記検出されたＰＤＣＣＨのサーチスペースが、ＣＳＳまたはＵＳＳのいずれかに基づいて、与えられる。
【発明の効果】
【００１３】
この発明の一態様によれば、基地局装置と端末装置は効率的に通信が行うことができる。
【図面の簡単な説明】
【００１４】
【図１】本実施形態における無線通信システムの概念を示す図である。
【図２】本実施形態の無線フレームの概略構成を示す図である。
【図３】本実施形態の上りリンクスロットの概略構成を示す図である。
【図４】本実施形態におけるＰＵＳＣＨまたはＨＡＲＱ−ＡＣＫの送信タイミングを示す図である。
【図５】本実施形態におけるＰＵＳＣＨまたはＨＡＲＱ−ＡＣＫの送信動作を示す図である。
【図６Ａ】本実施形態におけるマキシマムＴＢＳの閾値と対応するＰＵＳＣＨの送信タイミング（ｋの値）を示す図である。
【図６Ｂ】本実施形態におけるマキシマムＴＢＳの閾値と対応するＰＵＳＣＨの送信タイミング（ｋの値）を示す別の図である。
【図７】本実施形態の動作２におけるＰＵＳＣＨの送信方法の一例を示す図である。
【図８Ａ】本実施形態におけるマキシマムＴＢＳの閾値と対応するＨＡＲＱ−ＡＣＫの送信タイミング（ｊの値）を示す図である。
【図８Ｂ】本実施形態におけるマキシマムＴＢＳの閾値と対応するＨＡＲＱ−ＡＣＫの送信タイミング（ｊの値）を示す別の図である。
【図９Ａ】本実施形態におけるＰＵＳＣＨ送信タイミング（ｋの値）と対応する所定のマキシマムＴＡの閾値を示す図である。
【図９Ｂ】本実施形態におけるＰＵＳＣＨ送信タイミング（ｋの値）と対応する所定のマキシマムＴＡの閾値を示す別の図である。
【図１０Ａ】本実施形態におけるＨＡＲＱ−ＡＣＫの送信タイミング（ｊの値）と対応する所定のマキシマムＴＡの閾値を示す図である。
【図１０Ｂ】本実施形態におけるＨＡＲＱ−ＡＣＫの送信タイミング（ｊの値）と対応する所定のマキシマムＴＡの閾値を示す別の図である。
【図１１】本実施形態における端末装置１の構成を示す概略ブロック図である。
【図１２】本実施形態における基地局装置３の構成を示す概略ブロック図である。
【発明を実施するための形態】
【００１５】
以下、本発明の各実施形態について説明する。
【００１６】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１７】
図２は、本実施形態の無線フレームの概略構成を示す図である。図２において、横軸は時間軸である。
【００１８】
時間領域における種々のフィールドのサイズは、時間ユニットTs=1/(15000・2048)秒の数によって表現される。無線フレームの長さは、Tf=307200・Ts=10msである。それぞれの無線フレームは、時間領域において連続する１０のサブフレームを含む。それぞれのサブフレームの長さは、Tsubframe=30720・Ts=1msである。それぞれのサブフレームｉは、時間領域において連続する２つのスロットを含む。該時間領域において連続する２つのスロットは、無線フレーム内のスロット番号nsが２ｉのスロット、および、無線フレーム内のスロット番号nsが２ｉ＋１のスロットである。それぞれのスロットの長さは、Tslot=153600・ns=0.5msである。それぞれの無線フレームは、時間領域において連続する１０のサブフレームを含む。それぞれの無線フレームは、時間領域において連続する２０のスロット（ns=0,1,…,19）を含む。
【００１９】
以下、本実施形態のスロットの構成について説明する。図３は、本実施形態の上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡ（Single Carrier-Frequency Division Multiple Access）シンボル番号／インデックスであり、ｋはサブキャリア番号／インデックスである。
【００２０】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００２１】
リソースグリッドは、アンテナポート毎に定義される。本実施形態では、１つのアンテナポートに対する説明を行う。複数のアンテナポートのそれぞれに対して、本実施形態が適用されてもよい。
【００２２】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡシンボルの数を示す。ノーマルＣＰ（normal Cyclic Prefix）に対して、NULsymbは７である。拡張ＣＰ（extended Cyclic Prefix）に対して、NULsymbは６である。即ち、ノーマルＣＰに対して、１サブフレームは１４ＳＣ−ＦＤＭＡシンボルで構成される。拡張ＣＰに対して、１サブフレームは１２ＳＣ−ＦＤＭＡシンボルで構成される。
【００２３】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領域における（物理）リソースブロックサイズである。本実施形態において、サブキャリア間隔Δfは１５ｋＨｚであり、NRBscは１２サブキャリアである。すなわち、本実施形態においてNRBscは、１８０ｋＨｚである。
【００２４】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB-1）が付けられる。
【００２５】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される点を除いて同じであるため、下りリンクのスロットの構成の説明は省略する。
【００２６】
ここで、下りリンクにおける送信、および／または、上りリンクにおける送信に対して、送信時間間隔（Transmission Time Interval : TTI）が定義されてもよい。すなわち、下りリンクにおける送信、および／または、上りリンクにおける送信が、１つの送信時間間隔（１つの送信時間間隔の長さ）で実行されてもよい。
【００２７】
例えば、下りリンクにおいて、ＴＴＩは１４ＯＦＤＭシンボル（１サブフレーム）から構成される。１４よりも少ないＯＦＤＭシンボルから構成される送信時間間隔をｓＴＴＩ（short Transmission Interval）とも称する。
【００２８】
また、上りリンクにおいて、ＴＴＩは１４ＳＣ−ＦＤＭＡシンボル（１サブフレーム）から構成される。１４よりも少ないＯＦＤＭシンボルから構成される送信時間間隔をｓＴＴＩとも称する。
【００２９】
本実施形態における物理チャネルおよび物理信号について説明する。
【００３０】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３１】
ＰＵＣＣＨは、上りリンク制御情報（Uplink Control Information : UCI）を送信するために用いられる。ここで、上りリンク制御情報には、下りリンクに対するチャネル状態情報（Channel State Information : CSI）が含まれてもよい。また、上りリンク制御情報には、ＵＬ−ＳＣＨのリソースを要求するために用いられるスケジューリング要求（Scheduling Request : SR）が含まれてもよい。また、上りリンク制御情報には、ＨＡＲＱ−ＡＣＫ（Hybrid Automatic Repeat request ACKnowledgement）が含まれてもよい。
【００３２】
ここで、ＨＡＲＱ−ＡＣＫは、下りリンクデータ（Transport block, Medium Access Control Protocol Data Unit : MAC PDU, Downlink-Shared Channel : DL-SCH, Physical Downlink Shared Channel : PDSCH）に対するＨＡＲＱ−ＡＣＫを示してもよい。すなわち、ＨＡＲＱ−ＡＣＫは、下りリンクデータに対するＡＣＫ（acknowledgement, positive-acknowledgment）またはＮＡＣＫ（negative-acknowledgement）を示してもよい。また、ＣＳＩは、チャネル品質インディケータ（ＣＱＩ）、プレコーディングマトリックスインディケータ（ＰＭＩ）、および／または、ランクインディケーション（ＲＩ）で構成されてもよい。ＨＡＲＱ−ＡＣＫは、ＨＡＲＱ−ＡＣＫ応答、または、ＡＣＫ／ＮＡＣＫ応答と称されてもよい。
【００３３】
ＰＵＳＣＨは、上りリンクデータ（Uplink-Shared Channel : UL-SCH）を送信するために用いられる。ＰＵＳＣＨは、ランダムアクセスメッセージ３を送信するために用いられる。また、ＰＵＳＣＨは、ランダムアクセスメッセージ３を含まない上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、上りリンク制御情報のみを送信するために用いられてもよい。
【００３４】
ここで、基地局装置３と端末装置１は、上位層（higher layer）において信号をやり取り（送受信）してもよい。例えば、基地局装置３と端末装置１は、無線リソース制御（Radio Resource Control : RRC）層において、ＲＲＣシグナリング（RRC message、RRC informationとも称される）を送受信してもよい。また、基地局装置３と端末装置１は、ＭＡＣ（Medium Access Control）層において、ＭＡＣコントロールエレメントをやり取り（送受信）してもよい。ここで、ＲＲＣシグナリング、および／または、ＭＡＣコントロールエレメントを、上位層の信号（higher layer signaling）とも称する。
【００３５】
ここで、本実施形態において、「上位層のパラメータ」、「上位層のメッセージ」、「上位層の信号」、「上位層の情報」、および、「上位層の情報要素」は、同一のものであってもよい。
【００３６】
また、ＰＵＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、ユーザー装置スペシフィック（ユーザー装置固有）な情報は、ある端末装置１に対して専用のシグナリングを用いて送信されてもよい。
【００３７】
ＰＲＡＣＨは、ランダムアクセスプリアンブルを送信するために用いられる。例えば、ＰＲＡＣＨ（または、ランダムアクセスプロシージャ）は、端末装置１が、基地局装置３と時間領域の同期を取ることを主な目的として用いられる。また、ＰＲＡＣＨ（または、ランダムアクセスプロシージャ）は、初期コネクション確立（initial connection establishment）プロシージャ、ハンドオーバプロシージャ、コネクション再確立（connection re-establishment）プロシージャ、上りリンク送信に対する同期（タイミング調整）、および、スケジューリング要求（ＰＵＳＣＨリソースの要求、ＵＬ−ＳＣＨリソースの要求）の送信のためにも用いられてもよい。
【００３８】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal : UL RS）
【００３９】
本実施形態において、以下の２つのタイプの上りリンク参照信号が用いられる。
・ＤＭＲＳ（Demodulation Reference Signal）
・ＳＲＳ（Sounding Reference Signal）
【００４０】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４１】
ＳＲＳは、ＰＵＳＣＨまたはＰＵＣＣＨの送信に関連しない。基地局装置３は、チャネル状態の測定のためにＳＲＳを用いてもよい。ＳＲＳは、上りリンクサブフレームにおける最後のＳＣ−ＦＤＭＡシンボル、または、ＵｐＰＴＳにおけるＳＣ−ＦＤＭＡシンボルにおいて送信される。
【００４２】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００４３】
ＰＢＣＨは、端末装置１で共通に用いられるマスターインフォメーションブロック（Master Information Block: MIB, Broadcast Channel: BCH）を報知するために用いられる。
【００４４】
ＰＣＦＩＣＨは、ＰＤＣＣＨの送信に用いられる領域（ＯＦＤＭシンボル）を指示する情報を送信するために用いられる。
【００４５】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００４６】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００４７】
ここで、ＰＤＣＣＨ、および／または、ＥＰＤＣＣＨで送信される下りリンク制御情報に対して、複数のＤＣＩフォーマットが定義されてもよい。すなわち、下りリンク制御情報に対するフィールドがＤＣＩフォーマットに定義され、情報ビットへマップされてもよい。
【００４８】
ここで、下りリンクに対するＤＣＩフォーマットを、下りリンクのＤＣＩ、下りリンクグラント（downlink grant）、および／または、下りリンクアサインメント（downlink assignment）とも称する。また、上りリンクに対するＤＣＩフォーマットを、上りリンクのＤＣＩ、上りリンクグラント（Uplink grant）、および／または、上りリンクアサインメント（Uplink assignment）とも称する。また、ＤＣＩグラントは下りリンクグラント（ＤＬグラント）と上りリンクグラント（ＵＬグラント）を含んでもよい。
【００４９】
ＰＤＣＣＨおよびＥＰＤＣＣＨに含まれるＤＣＩはＰＤＳＣＨのためのＤＬグラントを含んでもよい。
【００５０】
つまり、１つの下りリンクグラントは、１つのサービングセル内の１つのＰＤＳＣＨのスケジューリングに用いられてもよい。下りリンクグラントは、該下りリンクグラントが送信されたサブフレームと同じサブフレーム内のＰＤＳＣＨのスケジューリングに用いられてもよい。
【００５１】
ここで、下りリンクグラントは、１または複数の端末装置１のための下りリンク割り当てに関連する情報を備えてもよい。つまり、下りリンクグラントは、１または複数の端末装置１のための周波数割り当て情報（Resource allocation）、ＭＣＳ（Modulation and Coding）、送信アンテナポート数、スクランブルアイデンティティ（SCID: Scramble Identity）、レイヤ数、新データ指標（New Data Indicator）、ＲＶ（Redundancy Version）、トランスポートブロック数、プレコーダ情報、送信スキームに関する情報の少なくとも一つを含んでもよい。
【００５２】
１つの上りリンクグラントは、１つのサービングセル内の１つのＰＵＳＣＨのスケジューリングに用いられる。上りリンクグラントは、該上りリンクグラントが送信されたサブフレームより４つ以上後のサブフレーム内のＰＵＳＣＨのスケジューリングに用いられる。
【００５３】
ＰＤＣＣＨで送信される上りリンクグラントは、ＤＣＩフォーマット０を含む。ＤＣＩフォーマット０に対応するＰＵＳＣＨの送信方式は、シングルアンテナポートである。端末装置１は、ＤＣＩフォーマット０に対応するＰＵＳＣＨ送信のためにシングルアンテナポート送信方式を用いる。シングルアンテナポート送信方式が適用されるＰＵＳＣＨは、１つのコードワード（１つのトランスポートブロック）の伝送に用いられる。
【００５４】
ＰＤＣＣＨで送信される上りリンクグラントは、ＤＣＩフォーマット４を含む。ＤＣＩフォーマット４に対応するＰＵＳＣＨの送信方式は、閉ループ空間多重である。端末装置１は、ＤＣＩフォーマット４に対応するＰＵＳＣＨ送信のために閉ループ空間多重送信方式を用いる。閉ループ空間多重送信方式が適用されるＰＵＳＣＨは、２つまでのコードワード（２つまでのトランスポートブロック）の伝送に用いられる。
【００５５】
また、端末装置１は、ＰＤＣＣＨ候補（PDCCH candidates）のセットおよびＥＰＤＣＣＨ候補（EPDCCH candidates）のセットをモニタしてもよい。以下、ＰＤＣＣＨは、ＥＰＤＤＣＨを含んでもよい。
【００５６】
ここで、ＰＤＣＣＨ候補とは、基地局装置３によって、ＰＤＣＣＨが、配置および／または送信される可能性のある候補を示していてもよい。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００５７】
ここで、端末装置１が、モニタするＰＤＣＣＨ候補のセットは、サーチスペースとも称される。サーチスペースには、コモンサーチスペース（Common Search Space : CSS）が含まれてもよい。例えば、コモンサーチスペースは、複数の端末装置１に対して共通なスペースとして定義されてもよい。コモンサーチスペースは、仕様書などによって予め定義されたインデックスのＣＣＥ（Control Channel Element）から構成されてもよい。
【００５８】
また、サーチスペースには、ユーザー装置スペシフィックサーチスペース（UE-specific Search Space : USS）が含まれてもよい。例えば、ユーザー装置スペシフィックサーチスペースを構成するＣＣＥのインデックスは、少なくとも、端末装置１に対して割り当てられるＣ−ＲＮＴＩに基づいて与えられてもよい。端末装置１は、コモンサーチスペース、および／または、ユーザー装置スペシフィックサーチスペースにおいて、ＰＤＣＣＨをモニタし、自装置宛てのＰＤＣＣＨを検出してもよい。
【００５９】
また、下りリンク制御情報の送信（ＰＤＣＣＨでの送信）には、基地局装置３が、端末装置１に割り当てたＲＮＴＩが利用されてもよい。具体的には、ＤＣＩフォーマット（下りリンク制御情報でもよい）にＣＲＣ（Cyclic Redundancy check : 巡回冗長検査）パリティビットが付加され、付加された後に、ＣＲＣパリティビットがＲＮＴＩによってスクランブルされてもよい。ここで、ＤＣＩフォーマットに付加されるＣＲＣパリティビットは、ＤＣＩフォーマットのペイロードから得られてもよい。
【００６０】
ここで、本実施形態において、「ＣＲＣパリティビット」、「ＣＲＣビット」、および、「ＣＲＣ」は同一のであってもよい。また、「ＣＲＣパリティビットが付加されたＤＣＩフォーマットが送信されるＰＤＣＣＨ」、「ＣＲＣパリティビットを含み、且つ、ＤＣＩフォーマットを含むＰＤＣＣＨ」、「ＣＲＣパリティビットを含むＰＤＣＣＨ」、および、「ＤＣＩフォーマットを含むＰＤＣＣＨ」は、同一であってもよい。また、「Ｘを含むＰＤＣＣＨ」、および、「ＸをともなうＰＤＣＣＨ」は、同一であってもよい。端末装置１は、ＤＣＩフォーマットをモニタしてもよい。また、端末装置１は、ＤＣＩをモニタしてもよい。また、端末装置１は、ＰＤＣＣＨをモニタしてもよい。
【００６１】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００６２】
ここで、ＲＮＴＩには、Ｃ−ＲＮＴＩ（Cell-Radio Network Temporary Identifier）が含まれてもよい。例えば、Ｃ−ＲＮＴＩは、ＲＲＣ接続およびスケジューリングの識別に対して使用される、端末装置１に対するユニークな（一意的な）識別子であってもよい。また、Ｃ−ＲＮＴＩは、動的（dynamically）にスケジュールされるユニキャスト送信のために利用されてもよい。
【００６３】
また、ＲＮＴＩには、ＳＰＳ  Ｃ−ＲＮＴＩ（Semi-Persistent Scheduling C-RNTI）が含まれてもよい。例えば、ＳＰＳ  Ｃ−ＲＮＴＩは、セミパーシステントスケジューリングに対して使用される、端末装置１に対するユニークな（一意的な）識別子である。また、ＳＰＳ  Ｃ−ＲＮＴＩは、半持続的（semi-persistently）にスケジュールされるユニキャスト送信のために利用されてもよい。ここで、半持続的にスケジュールされる送信とは、周期的（periodically）にスケジュールされる送信の意味が含まれてもよい。
【００６４】
また、ＲＮＴＩには、ＲＡ−ＲＮＴＩ（Random Access RNTI）が含まれてもよい。例えば、ＲＡ−ＲＮＴＩは、ランダムアクセスレスポンスメッセージの送信に対して使用される識別子であってもよい。すなわち、ＲＡ−ＲＮＴＩは、ランダムアクセスプロシージャにおいて、ランダムアクセスレスポンスメッセージの送信のために利用されてもよい。例えば、端末装置１は、ランダムアクセスプリアンブルを送信した場合において、ＲＡ−ＲＮＴＩによってスクランブルされたＣＲＣを伴うＰＤＣＣＨをモニタしてもよい。また、端末装置１は、ＲＡ−ＲＮＴＩによってスクランブルされたＣＲＣを伴うＰＤＣＣＨの検出に基づいて、ＰＤＳＣＨでランダムアクセスレスポンスを受信してもよい。
【００６５】
また、ＲＮＴＩには、Ｔｅｍｐｏｒａｒｙ  Ｃ−ＲＮＴＩが含まれてもよい。例えば、Ｔｅｍｐｏｒａｒｙ  Ｃ−ＲＮＴＩは、コンテンションベースのランダムアクセスプロシージャの間において用いられる、端末装置１によって送信されたプリアンブルに対するユニークな（一意的な）識別子であってもよい。また、Ｔｅｍｐｏｒａｒｙ  Ｃ−ＲＮＴＩは、動的（dynamically）にスケジュールされる送信のために利用されてもよい。
【００６６】
また、ＲＮＴＩには、Ｐ−ＲＮＴＩ（Paging RNTI）が含まれてもよい。例えば、Ｐ−ＲＮＴＩは、ページングおよびシステム情報の変化の通知に使用される識別子であってもよい。例えば、Ｐ−ＲＮＴＩは、ページングおよびシステム情報メッセージの送信のために利用されてもよい。例えば、端末装置１は、Ｐ−ＲＮＴＩによってスクランブルされたＣＲＣを伴うＰＤＣＣＨの検出に基づいて、ＰＤＳＣＨでページングを受信してもよい。
【００６７】
また、ＲＮＴＩには、ＳＩ−ＲＮＴＩ（System Information RNTI）が含まれてもよい。例えば、ＳＩ−ＲＮＴＩは、システム情報のブロードキャストに使用される識別子であってもよい。例えば、ＳＩ−ＲＮＴＩは、システム情報メッセージの送信のために利用されてもよい。例えば、端末装置１は、ＳＩ−ＲＮＴＩによってスクランブルされたＣＲＣを伴うＰＤＣＣＨの検出に基づいて、ＰＤＳＣＨでシステム情報メッセージを受信してもよい。
【００６８】
ここで、Ｃ−ＲＮＴＩによってスクランブルされたＣＲＣを伴うＰＤＣＣＨは、ＵＳＳまたはＣＳＳにおいて送信されてもよい。また、ＳＰＳ  Ｃ−ＲＮＴＩによってスクランブルされたＣＲＣを伴うＰＤＣＣＨは、ＵＳＳまたはＣＳＳにおいて送信されてもよい。また、ＲＡ−ＲＮＴＩによってスクランブルされたＣＲＣを伴うＰＤＣＣＨは、ＣＳＳのみにおいて送信されてもよい。また、Ｐ−ＲＮＴＩによってスクランブルされたＣＲＣを伴うＰＤＣＣＨは、ＣＳＳのみにおいて送信されても良い。また、ＳＩ−ＲＮＴＩによってスクランブルされたＣＲＣを伴うＰＤＣＣＨは、ＣＳＳのみにおいて送信されてもよい。また、Ｔｅｍｐｏｒａｒｙ  Ｃ−ＲＮＴＩによってスクランブルされたＣＲＣを伴うＰＤＣＣＨは、ＣＳＳのみにおいて送信されてもよい。
【００６９】
ＰＤＳＣＨは、下りリンクデータ（Downlink Shared Channel: DL-SCH）を送信するために用いられる。また、ＰＤＳＣＨは、ランダムアクセスレスポンスグラントを送信するために用いられてもよい。ここで、ランダムアクセスレスポンスグラントは、ランダムアクセスプロシージャにおいて、ＰＵＳＣＨのスケジューリングに使用される。また、ランダムアクセスレスポンスグラントは、上位層（例えば、ＭＡＣ層）によって物理層へ指示される。
【００７０】
また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれてもよい。また、ＰＤＳＣＨは、ＲＲＣシグナリング、および、ＭＡＣコントロールエレメントを送信するために用いられてもよい。
【００７１】
ＰＭＣＨは、マルチキャストデータ（Multicast Channel: MCH）を送信するために用いられる。
【００７２】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
【００７３】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００７４】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００７５】
本実施形態において、以下の７つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００７６】
ここで、下りリンク物理チャネルおよび下りリンク物理信号を総称して、下りリンク信号とも称する。また、上りリンク物理チャネルおよび上りリンク物理信号を総称して、上りリンク信号とも称する。下りリンク物理チャネルおよび上りリンク物理チャネルを総称して、物理チャネルとも称する。下りリンク物理信号および上りリンク物理信号を総称して、物理信号とも称する。
【００７７】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００７８】
以下、キャリアアグリゲーションについて説明する。
【００７９】
ここで、端末装置１に対して、１つまたは複数のサービングセルが設定されてもよい。端末装置１が複数のサービングセルを介して通信する技術をセルアグリゲーション、または、キャリアアグリゲーションと称する。
【００８０】
また、設定される１つまたは複数のサービングセルには、１つのプライマリーセルと、１つまたは複数のセカンダリーセルとが含まれてもよい。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルであってもよい。また、プライマリーセルは、ＰＵＣＣＨでの送信に用いられるセルであってもよい。ここで、ＲＲＣコネクションが確立された時点、または、後に、セカンダリーセルが設定されてもよい。
【００８１】
また、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００８２】
端末装置１は、１つまたは複数のサービングセル（コンポーネントキャリア）において、同時に複数の物理チャネルでの送信、および／または受信を行ってもよい。ここで、１つの物理チャネルは、複数のサービングセル（コンポーネントキャリア）のうち１つのサービングセル（コンポーネントキャリア）において送信されてもよい。
【００８３】
ここで、基地局装置３は、上位層の信号（例えば、ＲＲＣシグナリング）を用いて、１つまたは複数のサービングセルを設定してもよい。例えば、複数のサービングセルのセットをプライマリーセルと共に形成するために、１つまたは複数のセカンダリーセルが設定されてもよい。
【００８４】
また、基地局装置３は、上位層の信号（例えば、ＭＡＣコントロールエレメント）を用いて、１つまたは複数のサービングセルを、活性化（activate）または非活性化（deactivate）してもよい。例えば、基地局装置３は、ＲＲＣシグナリングを用いて設定した１つまたは複数のサービングセルのうちの、１つまたは複数のサービングセルを活性化または非活性化してもよい。ここで、端末装置１は、活性化されたサービングセルのみに対するＣＳＩ（例えば、アピリオディックＣＳＩ）を送信してもよい。
【００８５】
また、上りリンク（例えば、上りリンクコンポーネントキャリア）と下りリンク（例えば、下りリンクコンポーネントキャリア）との間において、リンキング（linking）が定義されてもよい。すなわち、上りリンクと下りリンクとの間におけるリンキングに基づいて、上りリンクグラントに対するサービングセル（上りリンクグラントによってスケジュールされる（ｓ）ＰＵＳＣＨでの送信（上りリンクの送信）が行なわれるサービングセル）が識別されてもよい。ここで、この場合における、下りリンクアサインメント、または、上りリンクグラントには、キャリアインディケータフィールドは存在しない。
【００８６】
すなわち、プライマリーセルにおいて受信した下りリンクアサインメントは、プライマリーセルにおける下りリンクの送信に対応してもよい。また、プライマリーセルにおいて受信した上りリンクグラントは、プライマリーセルにおける上りリンクの送信に対応してもよい。また、あるセカンダリーセルにおいて受信した下りリンクアサインメントは、該あるセカンダリーセルにおける下りリンクの送信に対応してもよい。また、あるセカンダリーセルにおいて受信した上りリンクグラントは、該あるセカンダリーセルにおける上りリンクの送信に対応してもよい。
【００８７】
前述したように、ＨＡＲＱ−ＡＣＫはＡＣＫまたはＮＡＣＫを示す。端末装置１または基地局装置３は、信号を受信（復調復号）できたか否かに基づいて、その信号に対するＡＣＫまたはＮＡＣＫを決定する。ＡＣＫは、端末装置１または基地局装置３において、信号を受信できたことを示し、ＮＡＣＫは、端末装置１または基地局装置３において、信号を受信できなかったことを示す。ＮＡＣＫがフィードバックされた端末装置１または基地局装置３は、ＮＡＣＫに対応する信号の再送信を行なってもよい。端末装置１は、基地局装置３から送信された、ＰＵＳＣＨに対するＨＡＲＱ−ＡＣＫの内容に基づいて、ＰＵＳＣＨを再送信するか否かを決定する。基地局装置３は、端末装置から送信された、ＰＤＳＣＨまたはＰＤＣＣＨ／ＥＰＤＣＣＨに対するＨＡＲＱ−ＡＣＫの内容に基づいて、ＰＤＳＣＨを再送信するか否かを決定する。端末装置１が送信したＰＵＳＣＨに対する、ＨＡＲＱ−ＡＣＫは、ＰＤＣＣＨまたはＰＨＩＣＨを用いて端末装置にフィードバックされる。基地局装置３が送信したＰＤＳＣＨまたはＰＤＣＣＨ／ＥＰＤＣＣＨに対するＨＡＲＱ−ＡＣＫは、ＰＵＣＣＨまたはＰＵＳＣＨを用いて基地局装置３にフィードバックされる。
【００８８】
以下は、本実施形態に係る下りリンク送信（ＰＤＳＣＨ）に対するＨＡＲＱ−ＡＣＫの送信タイミングについて説明する。本実施形態では、ＯＦＤＭシンボルおよび／またはＳＣ−ＦＤＭＡシンボルにノーマルＣＰが付加された場合（つまり、１スロットが７シンボルで構成される場合、１サブフレームが１４シンボルで構成される場合）を想定して説明するが、拡張ＣＰが付加された場合に対しても同様に適用されてもよい。
【００８９】
ＰＤＳＣＨに対するＨＡＲＱ−ＡＣＫの送信タイミングについては、ＦＤＤに対して、端末装置１がサブフレームｎ−ｊにおけるＰＤＳＣＨを検出した場合、端末装置１は、サブフレームｎにおいて、ＰＤＳＣＨに対するＨＡＲＱ−ＡＣＫを送信する。即ち、ＰＤＳＣＨに対するＨＡＲＱ−ＡＣＫの送信タイミングはＰＤＳＣＨが送信されたサブフレームよりｊ後のサブフレームである。
【００９０】
次に、本実施形態に係る上りリンクグラントに対するＰＵＳＣＨの送信タイミングについて説明する。
【００９１】
上りリンクグラントに対するＰＵＳＣＨの送信タイミングについては、ＦＤＤに対して、端末装置１がサブフレームｎにおけるＰＤＣＣＨ（上りリンクグラント）を検出した場合、端末装置１は、サブフレームｎ＋ｋにおいて、当該上りリンクグラントに対するＰＵＳＣＨを送信する。即ち、上りリンクグラントに対するＰＵＳＣＨの送信タイミングは上りリンクグラントが検出されたサブフレームよりｋ後のサブフレームである。
【００９２】
前述したように、ＰＤＳＣＨに対するＨＡＲＱ−ＡＣＫの送信タイミング、および、上りリンクグラントに対するＰＵＳＣＨの送信タイミングは４つのサブフレームである。当該送信タイミングはノーマルタイミング（normal timing）とも称してもよい。ＦＤＤに対して、ｋとｊは４であってもよい。４であるｋとｊをノーマルタイミング（normal timing）と称してもよい。
【００９３】
また、ｋおよび／またはｊの値は４より小さい値であってもよい。例えば、ｋおよび／またはｊの値は２であってもよい。また、例えば、ｋおよび／またはｊの値は３であってもよい。ｋおよび／またはｊの値は端末装置１の処理能力によって、決定されてもよい。４より小さい値であるｋとｊは短縮タイミング（reduced timing）とも称してもよい。
【００９４】
ここで、端末装置１の処理能力は端末装置１のケーパビリティ（capability）情報によって、示されてもよい。また、端末装置１はケーパビリティ情報を基地局装置３へ通知（送信）してもよい。
【００９５】
以下、端末装置１のケーパビリティ情報について説明する。端末装置１のケーパビリティ情報は端末装置１の能力情報として定義されてもよい。
【００９６】
例えば、端末装置１のケーパビリティ情報は端末装置１がデータを処理する実際の時間を示してもよい。処理時間は、検出した信号の受信および復号に要する時間と、送信する信号の生成（変調や符号化）に要する時間に基づいて決定される。詳しく言うと、端末装置１のケーパビリティ情報はＰＤＳＣＨに対するＨＡＲＱ−ＡＣＫの実際の処理時間（例えば、何ｍｓ）を示してもよい。ＰＤＳＣＨに対するＨＡＲＱ−ＡＣＫの処理時間はＰＤＳＣＨをスケジューリングするＰＤＣＣＨの受信及び検出（復号、ブラインドデコーディング）からＨＡＲＱ−ＡＣＫの生成（変調や符号化）までの処理に要する時間であってもよい。また、端末装置１のケーパビリティ情報は上りリンクグラントに対するＰＵＳＣＨの実際の処理時間（例えば、何ｍｓ）を示してもよい。上りリンクグラントに対するＰＵＳＣＨの処理時間はＰＵＳＣＨをスケジューリング上りリンクグラントの受信および検出（復号、ブラインドデコーディング）からＰＵＳＣＨの生成（変調や符号化）までの処理に要する時間であってもよい。
【００９７】
また、端末装置１のケーパビリティ情報は、端末装置１が１４より少ないＯＦＤＭシンボルおよび／またはＳＣ−ＦＤＭＡシンボルに構成されるｓＴＴＩをサポートする能力を示してもよい。
【００９８】
また、端末装置１のケーパビリティ情報は端末装置１のカテゴリ情報を示してもよい。端末装置１のカテゴリ情報は端末装置１が処理時間を短縮する能力情報を含んでもよい。また、端末装置１のカテゴリ情報は端末装置１がサポートできる送信タイミング（ｋおよびｊの値）を含んでもよい。
【００９９】
基地局装置３は端末装置１から送信されたケーパビリティ情報（能力情報）に基づいて、端末装置１が利用できる送信タイミング（ｋおよびｊの値）を決定してもよい。また、送信タイミング（ｋおよびｊの値）は上位層のパラメータとして設定されてもよい。基地局装置３は端末装置１が利用できる送信タイミング（ｋおよびｊの値）を含むRRCシグナリングを端末装置１に送信してもよい。
【０１００】
また、送信タイミング（ｋおよびｊの値）は仕様書などによって定義され、基地局装置３と端末装置１との間において、既知の値であってもよい。
【０１０１】
以下の本実施形態において、ｋおよびｊの値はサブフレームの数を基準にして、定義されてもよい。例えば、ｋおよびｊの値は、２，３，４であってもよい。また、ｋおよびｊの値は、シンボル（ＯＦＤＭシンボルおよび／またはＳＣ−ＦＤＭＡシンボル）の数で表現されてもよい。例えば、シンボル数で表現されるｋおよびｊの値は図３のサブフレームとシンボルの関係に基づいて、決定されてもよい。また、シンボル数で表現されるｋおよびｊの値は所定の値であってもよい。また、ｋおよびｊの値はＴＴＩの長さに基づいて、決定されてもよい。ＴＴＩはｓＴＴＩを含んでもよい。
【０１０２】
以下、本実施形態に関わるトランスポートブロックサイズ（Transport Block Size TBS）を説明する。
【０１０３】
ＴＢＳは、トランスポートブロックのビット数である。前述したように、上りリンクグラントはＤＣＩフォーマット０とＤＣＩフォーマット４を含む。ＤＣＩフォーマット０は、（ａ）‘Resource block assignment and hopping resource allocation’ field、（ｂ）‘Modulation and coding scheme and redundancy version’ field、および、（ｃ）‘New data indicator’ fieldを、少なくとも含む。また、ＤＣＩフォーマット４は、ｄ）‘Resource block assignment’field、（ｅ）トランスポートブロック１に対する‘Modulation and coding scheme and redundancy version’ field、（ｆ）トランスポートブロック１に対する‘New data indicator’ field、（ｇ）トランスポートブロック２に対する‘Modulation and coding scheme and redundancy version’ field、および、（ｈ）トランスポートブロック２に対する‘New data indicator’fieldを、少なくとも含む。
【０１０４】
端末装置１は、（ｂ）‘Modulation and coding scheme and redundancy version’field、（ｅ）トランスポートブロック１に対する‘Modulation and coding scheme and redundancy version’ field、または、（ｇ）トランスポートブロック２に対する‘Modulation and coding scheme and redundancy version’fieldに基づいて、ＰＵＳＣＨのためのＭＣＳインデックス（ＩＭＣＳ）を決定する。端末装置１は、決定されたＰＵＳＣＨのためのＭＣＳインデックス（ＩＭＣＳ）を参照することによって、ＰＵＳＣＨのための変調次数（Ｑｍ）、ＰＵＳＣＨのためのトランスポーブロックサイズインデックス（ＩＴＢＳ）、および、ＰＵＳＣＨのための冗長バージョン（ｒｖｉｄｘ）を決定する。
【０１０５】
また、端末装置１は、（ａ）‘Resource block assignment and hopping resource allocation’ field、または、（ｄ）‘Resource block assignment’ fieldに基づいて、ＰＵＳＣＨに対して割り当てられた物理リソースブロックの総数（ＮＰＲＢ）を計算する。
【０１０６】
即ち、端末装置１は、計算されたＰＵＳＣＨに対して割り当てられた物理リソースブロックの総数（ＮＰＲＢ）、および、決定されたＰＵＳＣＨのためのＭＣＳインデックス（ＩＭＣＳ）を参照することによって、ＰＵＳＣＨのためのトランスポートブロックサイズ（ＴＢＳ）を決定する。
【０１０７】
同様に、端末装置１はＰＤＳＣＨに対して割り当てられた物理リソースブロックの総数（ＮＰＲＢ）、および、ＰＤＳＣＨのためのＭＣＳインデックス（ＩＭＣＳ）を参照することによって、ＰＤＳＣＨのためのトランスポートブロックサイズ（ＴＢＳ）を決定してもよい。ここで、ＰＤＳＣＨに対して割り当てられた物理リソースブロックの総数（ＮＰＲＢ）は、下りリンクグラントに含まれる‘Resource block assignment’fieldに基づいて、計算されてもよい。また、ＰＤＳＣＨのためのＭＣＳインデックス（ＩＭＣＳ）は下りリンクグラントに含まれる‘Modulation and coding scheme’fieldによって、示されてもよい。端末装置１は、示されたＰＤＳＣＨのためのＭＣＳインデックス（ＩＭＣＳ）を参照することによって、ＰＤＳＣＨのための変調次数（Ｑｍ）、ＰＤＳＣＨのためのトランスポーブロックサイズインデックス（ＩＴＢＳ）を決定する。
【０１０８】
図４は、本実施形態におけるＰＵＳＣＨまたはＨＡＲＱ−ＡＣＫの送信タイミングを示す図である。即ち、端末装置１および基地局装置３は、所定の条件４０１に基づいて、送信タイミング（ｋおよびｊの値）が与えられてもよい。以下、基本的には、端末装置１の動作を記載するが、基地局装置３が端末装置１の動作に対応して、同様の動作を実行することは無論である。
【０１０９】
図４の示すように、端末装置１は所定の条件４０１に基づいて、ノーマルタイミング（normal timing）動作と短縮タイミング（Reduced timing）動作の何れかを判断（切り替え）してもよい。即ち、ノーマルタイミング動作が判断された場合、端末装置１は４の値であるｋまたはｊを用いて、データの送信を実行してもよい。また、短縮タイミング動作が判断された場合、端末装置１は４より小さい値であるｋまたはｊを用いて、データの送信を実行してもよい。
【０１１０】
ここで、データの送信はＰＵＳＣＨでの送信が含まれてもよい。また、データの送信はＨＡＲＱ−ＡＣＫの送信が含まれてもよい。
【０１１１】
具体的に言うと、ノーマルタイミング（normal timing）動作には、上りリンクグラントを検出（受信）したサブフレームよりｋ後のサブフレームにおけるＰＵＳＣＨでの送信が含まれてもよい。また、ノーマルタイミング（normal timing）動作には、ＰＤＳＣＨを検出したサブフレームよりｊ後のサブフレームにおけるＰＵＣＣＨでのＨＡＲＱ−ＡＣＫの送信が含まれてもよい。すなわち、ノーマルタイミング（normal timing）動作の場合、ｋ、および、ｊは４である。
【０１１２】
また、短縮タイミング（Reduced timing）動作には、上りリンクグラントを検出（受信）したサブフレームよりｋ後のサブフレームにおけるＰＵＳＣＨでの送信が含まれてもよい。また、短縮タイミング（Reduced timing）動作には、ＰＤＳＣＨを検出したサブフレームよりｊ後のサブフレームにおけるＰＵＣＣＨでのＨＡＲＱ−ＡＣＫの送信が含まれてもよい。すなわち、短縮タイミング（Reduced timing）動作の場合、ｋ、および、ｊは４より小さい値である。
【０１１３】
ここで、ｋおよび／またはｊの値は端末装置１のケーパビリティ情報によって、事前に定義された値であってもよい。例えば、ｋおよび／またはｊの値は２であってもよい。また、ｋおよび／またはｊの値は３であってもよい。即ち、短縮タイミング動作はノーマルタイミングである４サブフレームより早くＰＵＳＣＨまたはＨＡＲＱ−ＡＣＫの送信を実行できる。短縮タイミング動作の場合のｋおよびｊの値は、ノーマルタイミングの場合のｋおよびｊの値より小さくてもよい。
【０１１４】
図４における所定の条件４０１には、以下の第１の条件から第４の条件の少なくとも１つが含まれてもよい。端末装置１は、以下の第１の条件から第４の条件の一部、または、全部に基づいて、送信タイミング動作（ｋおよび／またはｊ）を判断してもよい。
【０１１５】
（１）第１の条件：ＰＤＣＣＨが検出されたサーチスペースがＣＳＳおよびＵＳＳの何れであるか。ここで、ＰＤＣＣＨは、ＨＡＲＱ−ＡＣＫが対応するＰＤＳＣＨのスケジューリングのために用いられるＰＤＣＣＨ、または、ＰＵＳＣＨのスケジューリングのために用いられるＰＤＣＣＨである。
（２）第２の条件:ＤＣＩフォーマットに付加されるＣＲＣパリティビットが何れのＲＮＴＩによってスクランブルされているか。ここで、ＤＣＩフォーマットは、ＨＡＲＱ−ＡＣＫが対応するＰＤＳＣＨのスケジューリングのために用いられるＰＤＣＣＨに含まれるＤＣＩフォーマット、または、ＰＵＳＣＨのスケジューリングのために用いられるＰＤＣＣＨ含まれるＤＣＩフォーマットである。
（３）第３の条件：処理するＴＢＳがマキシマムＴＢＳの閾値を超えているかどうか。ここで、処理するＴＢＳとは、ＰＤＳＣＨに含まれるトランスポートブロックのサイズ、または、ＰＵＳＣＨに含まれるトランスポートブロックのサイズである。
（４）第４の条件：ＴＡ（Timing Advance, Timing Alignment）の値がマキシマムＴＡの閾値を超えているかどうか
【０１１６】
即ち、第１の条件において、端末装置１はＰＤＣＣＨが検出されたサーチスペースがＣＳＳおよびＵＳＳの何れであるかに基づいて、動作を判断する。例えば、ＰＤＣＣＨが検出されたサーチスペースがＣＳＳである場合、ノーマルタイミング（normal timing）動作が実行されてもよい。また、例えば、ＰＤＣＣＨが検出されたサーチスペースがＵＳＳである場合、短縮タイミング（Reduced timing）動作が実行されてもよい。
【０１１７】
また、第２の条件において、端末装置１はＤＣＩフォーマットに付加されるＣＲＣパリティビットが何れのＲＮＴＩによってスクランブルされているかに基づいて、動作を判断する。例えば、端末装置１は、ＤＣＩフォーマットに付加されるＣＲＣパリティビットが以下のＲＮＴＩによってスクランブルされている場合、ノーマルタイミング（normal timing）動作を実行してもよい。
【０１１８】
（ａ）Ｔｅｍｐｏｒａｒｙ  Ｃ−ＲＮＴＩ
（ｂ）Ｐ−ＲＮＴＩ
（ｃ）ＳＩ−ＲＮＴＩ
【０１１９】
また、例えば、端末装置１は、ＤＣＩフォーマットに付加されるＣＲＣパリティビットが以下のＲＮＴＩによってスクランブルされている場合、短縮タイミング（Reduced timing）動作を実行してもよい。
【０１２０】
（ｄ）Ｃ−ＲＮＴＩ
（ｄ）ＳＰＳ−ＲＮＴＩ
【０１２１】
また、ノーマルタイミング（normal timing）動作を実行させるために、新しいＲＮＴＩタイプ（例えば、Ｘ−ＲＮＴＩ）が定義されてもよい。端末装置１は、ＤＣＩフォーマットに付加されるＣＲＣパリティビットがＸ−ＲＮＴＩによってスクランブルされている場合、ノーマルタイミング（normal timing）動作を実行してもよい。例えば、Ｘ−ＲＮＴＩはＣ−ＲＮＴＩであってもよい。
【０１２２】
また、短縮タイミング（Reduced timing）動作を実行させるために、新しいＲＮＴＩタイプ（例えば、Ｙ−ＲＮＴＩ）が定義されてもよい。端末装置１は、ＤＣＩフォーマットに付加されるＣＲＣパリティビットがＹ−ＲＮＴＩによってスクランブルされている場合、短縮タイミング（Reduced timing）動作を実行してもよい。
【０１２３】
Ｘ−ＲＮＴＩとＹ−ＲＮＴＩが上位層の信号によって、端末装置１に設定される場合には、第２の条件に基づいて、ノーマルタイミング動作を行うか短縮タイミング動作を行うか切り替えられてもよい。
【０１２４】
また、第３の条件において、端末装置１は、処理するＴＢＳがマキシマムＴＢＳの閾値を超えているかどうかに基づいて、動作を判断する。例えば、処理するＴＢＳがマキシマムＴＢＳの閾値を超えている場合、ノーマルタイミング（normal timing）動作が実行されてもよい。また、処理するＴＢＳがマキシマムＴＢＳの閾値を超えていない場合、短縮タイミング（Reduced timing）動作が実行されてもよい。ここで、マキシマムＴＢＳの閾値は、仕様書などによって定義され、基地局装置３と端末装置１との間において、既知の値であってもよい。また、基地局装置３はマキシマムＴＢＳの閾値を含むＲＲＣシグナリングを端末装置１に送信してもよい。
【０１２５】
ここで、処理するＴＢＳとは、（ｉ）端末装置１に設定される帯域幅（ＰＤＳＣＨ送信、または、ＰＵＳＣＨ送信のために割り当てられる送信帯域幅）と、（ｉｉ）端末装置１に設定されるＭＣＳに基づき決定されるＴＢＳ（またはＴＢＳの最大値）であってもよい。すなわち、処理するＴＢＳは、（ｉ）端末装置１に設定される帯域幅（ＰＤＳＣＨ送信、または、ＰＵＳＣＨ送信のために割り当てられる送信帯域幅）と、（ｉｉ）端末装置１に設定されるＭＣＳに基づき決定されてもよい。また、処理するＴＢＳとは、端末装置１に設定されるＭＣＳに基づき決定されるＴＢＳ（またはＴＢＳの最大値）であってもよい。すなわち、処理するＴＢＳは、端末装置１に設定されるＭＣＳに基づき決定されてもよい。また、端末装置１に設定される帯域幅（ＰＤＳＣＨ送信、または、ＰＵＳＣＨ送信のために割り当てられる送信帯域幅）は、スケジューリング情報に基づいてもよい。スケジューリング情報は、ＰＤＳＣＨ、または、ＰＵＳＣＨをスケジューリングするＤＣＩフォーマットに含まれるリソース割り当て情報であってもよい。即ち、処理するＴＢＳは、ＰＤＳＣＨまたはＰＵＳＣＨをスケジューリングするＤＣＩフォーマットに基づいて、算出したＴＢＳであってもよい。また、スケジューリング情報は、ＤＣＩ、ＰＤＣＣＨ、ＥＰＤＣＣＨ、または、ＲＲＣシグナリングに含まれる、リソース割り当て情報であってもよい。
【０１２６】
端末装置１は、マキシマムＴＢＳの閾値と、端末装置１によって処理されるＴＢＳを比較してもよい。また、マキシマムＴＢＳの閾値は、端末装置１が処理する可能性のあるＴＢＳの最大値であってもよい。マキシマムＴＢＳの閾値は、ｋまたはｊの値の各々に対して定義されてもよい。例えば、異なるｋまたはｊの値に対応するマキシマムＴＢＳの閾値は異なってもよい。即ち、マキシマムＴＢＳの閾値は、帯域幅（または、システム帯域幅）に基づき決定されてもよい。また、マキシマムＴＢＳの閾値は、端末装置１のケーパビリティ情報（能力情報）に基づき決定されてもよい。
【０１２７】
また、第４の条件において、端末装置１は、ＴＡ（Timing Advance, Timing Alignment）がマキシマムＴＡの閾値を超えているかどうかに基づいて、動作を判断する。例えば、ＴＡがマキシマムＴＡの閾値を超えている場合、ノーマルタイミング（normal timing）動作が実行されてもよい。また、ＴＡがマキシマムＴＡの閾値を超えていない場合、短縮タイミング（Reduced timing）動作が実行されてもよい。
【０１２８】
ＴＡが端末装置１と基地局装置３の間の距離を示すこととみなされてもよい。ＴＡ値は端末装置１と基地局装置３の間の距離に応じて、可変値になる。また、ＴＡ値は、上りリンクサブフレームの送信タイミングと、対応する下りリンクサブフレームの先頭の時間差を示す。即ち、ＴＡは端末装置１の送信タイミング（ｋおよび／またはｊの値）を調整するために用いられる。ＴＡ値は、基地局装置３が送信するＴＡコマンドを用いて、端末装置１に設定されてもよい。端末装置１は、設定されたＴＡ値に基づいて、上りリンクサブフレームのサブフレーム境界よりもＴＡ値分前の時間で送信する。即ち、ＴＡ値は送信タイミング（ｋおよび／またはｊの値）に影響を与える。
【０１２９】
マキシマムＴＡの閾値は、送信タイミング（ｋまたはｊの値）に対して、端末装置１が利用する可能性のあるＴＡの最大値であってもよい。即ち、マキシマムＴＡの閾値は、ｋまたはｊの値の各々に対して、通信可能範囲を制限するとしてみなされてもよい。マキシマムＴＡの閾値は、仕様書などによって定義され、基地局装置３と端末装置１との間において、既知の値であってもよい。また、基地局装置３はマキシマムＴＡの閾値を含むＲＲＣシグナリングを端末装置１に送信してもよい。
【０１３０】
また、端末装置１は上記の条件の組み合わせに基づいて、送信タイミング動作（ｋおよび／またはｊの値）を判断してもよい。
【０１３１】
例えば、ＣＳＳにおいてＰＤＣＣＨが検出され、且つ、当該ＰＤＣＣＨで送信されるＤＣＩフォーマットに付加されるＣＲＣパリティビットがＣ−ＲＮＴＩによってスクランブルされているならば、端末装置１はノーマルタイミング（normal timing）動作を実行してもよい。また、例えば、ＵＳＳにおいてＰＤＣＣＨが検出され、且つ、当該ＰＤＣＣＨで送信されるＤＣＩフォーマットに付加されるＣＲＣパリティビットがＣ−ＲＮＴＩによってスクランブルされているならば、端末装置１は短縮タイミング（Reduced timing）動作を実行してもよい。
【０１３２】
図５は、本実施形態におけるＰＵＳＣＨまたはＨＡＲＱ−ＡＣＫの送信動作を示す図である。即ち、端末装置１は、所定の条件５０１に基づいて、動作１、動作２または動作３を判断し（切り替え）てもよい。図５における所定の条件５０１には、以下の第１の条件から第２の条件の少なくとも１つが含まれてもよい。端末装置１は、以下の第１の条件から第２の条件の一部、または、全部に基づいて、判断してもよい。
【０１３３】
（ｉ）第１の条件：ＰＤＣＣＨが検出されたサーチスペースがＣＳＳおよびＵＳＳの何れであるか
（ｉｉ）第２の条件:ＤＣＩフォーマットに付加されるＣＲＣパリティビットが何れのＲＮＴＩによってスクランブルされているか。
【０１３４】
第１の条件において、端末装置１はＰＤＣＣＨが検出されたサーチスペースがＣＳＳおよびＵＳＳの何れであるかに基づいて、動作を判断する。例えば、ＰＤＣＣＨが検出されたサーチスペースがＣＳＳである場合、動作１が実行されてもよい。また、例えば、ＰＤＣＣＨが検出されたサーチスペースがＵＳＳである場合、動作２、または、動作３が実行されてもよい。
【０１３５】
また、第２の条件において、端末装置１はＤＣＩフォーマットに付加されるＣＲＣパリティビットが何れのＲＮＴＩによってスクランブルされているかに基づいて、動作を判断する。例えば、端末装置１は、ＤＣＩフォーマットに付加されるＣＲＣパリティビットが以下のＲＮＴＩによってスクランブルされている場合、動作１を実行してもよい。
【０１３６】
（ａ）Ｔｅｍｐｏｒａｒｙ  Ｃ−ＲＮＴＩ
（ｂ）Ｐ−ＲＮＴＩ
（ｃ）ＳＩ−ＲＮＴＩ
【０１３７】
また、例えば、端末装置１は、ＤＣＩフォーマットに付加されるＣＲＣパリティビットが以下のＲＮＴＩによってスクランブルされている場合、動作２または動作３を実行してもよい。
【０１３８】
（ｄ）Ｃ−ＲＮＴＩ
（ｅ）ＳＰＳ−ＲＮＴＩ
【０１３９】
また、動作１を実行させるために、新しいＲＮＴＩタイプ（例えば、Ｘ−ＲＮＴＩ）が定義されてもよい。即ち、端末装置１は、ＤＣＩフォーマットに付加されるＣＲＣパリティビットがＸ−ＲＮＴＩによってスクランブルされている場合、動作１を実行してもよい。
【０１４０】
また、動作２または動作３を実行させるために、新しいＲＮＴＩタイプ（例えば、Ｙ−ＲＮＴＩ）が定義されてもよい。端末装置１は、ＤＣＩフォーマットに付加されるＣＲＣパリティビットがＹ−ＲＮＴＩによってスクランブルされている場合、動作２または動作３を実行してもよい。
【０１４１】
Ｘ−ＲＮＴＩとＹ−ＲＮＴＩが上位層の信号によって、端末装置１に設定される場合には、第２の条件に基づいて、動作１を行うか動作２または動作３を行うか切り替えられてもよい。
【０１４２】
また、端末装置１は第１の条件と第２の条件との組み合わせに基づいて、動作１、動作２または動作３を判断してもよい。例えば、ＣＳＳにおいてＰＤＣＣＨが検出され、且つ、当該ＰＤＣＣＨで送信されるＤＣＩフォーマットに付加されるＣＲＣパリティビットがＣ−ＲＮＴＩによってスクランブルされているならば、端末装置１は動作１を実行してもよい。また、例えば、ＵＳＳにおいてＰＤＣＣＨが検出され、且つ、当該ＰＤＣＣＨで送信されるＤＣＩフォーマットに付加されるＣＲＣパリティビットがＣ−ＲＮＴＩによってスクランブルされているならば、端末装置１は動作２または動作３を実行してもよい。
【０１４３】
また、端末装置１が、動作２または動作３の何れかを実行するかを基地局装置３から予め設定してもよい。
【０１４４】
以下では、端末装置１の動作を具体的に説明する。
【０１４５】
動作１は前述したようなノーマルタイミング（normal timing）動作と同様な動作であってもよい。即ち、動作１には、端末装置１がＰＤＣＣＨ（上りリンクグラント、ＤＣＩフォーマット）を検出（受信）したサブフレームより４後のサブフレームにおけるＰＵＳＣＨでの送信を行う動作が含まれてもよい。また、動作１には、端末装置１がＰＤＳＣＨを検出したサブフレームより４後のサブフレームにおけるＰＵＣＣＨでのＨＡＲＱ−ＡＣＫの送信を行う動作が含まれてもよい。
【０１４６】
動作２において、端末装置１は、（ｉ）ＰＤＳＣＨまたはＰＵＳＣＨをスケジューリングするＤＣＩフォーマットに基づいて算出したＴＢＳと（ｉｉ）所定のマキシマムＴＢＳの閾値に基づいて、送信タイミング（ｋおよび／またはｊの値）を決定してもよい。動作２には、決定されたｋの値に基づくＰＵＳＣＨでの送信が含まれてもよい。また、動作２には、決定されたｊの値に基づくＰＵＣＣＨでのＨＡＲＱ−ＡＣＫの送信が含まれてもよい。
【０１４７】
ここで、所定のマキシマムＴＢＳの閾値は図４における第３の条件に記載されたマキシマムＴＢＳの閾値と異なってもよい。動作２における所定のマキシマムＴＢＳの閾値は端末装置１のケーパビリティ情報（能力情報）に基づいて、設定されてもよい。言い換えると、所定のマキシマムＴＢＳの閾値は端末装置１がサポートできるｋおよび／またはｊの値に対して、設定されてもよい。
【０１４８】
また、所定のマキシマムＴＢＳの閾値はＰＵＳＣＨの送信タイミング（ｋの値）とＨＡＲＱ−ＡＣＫの送信タイミング（ｊの値）に応じて、別々に設定されてもよい。即ち、ＰＵＳＣＨの送信タイミング（ｋの値）に基づいて、所定のマキシマムＴＢＳの閾値が設定されてもよい。また、ＨＡＲＱ−ＡＣＫの送信タイミング（ｊの値）に基づいて、所定のマキシマムＴＢＳの閾値が設定されてもよい。ここで、ＰＵＳＣＨの送信タイミングに対して設定されたマキシマムＴＢＳの閾値とＨＡＲＱ−ＡＣＫの送信タイミングに対して設定されたマキシマムＴＢＳの閾値は異なってもよい。また、所定のマキシマムＴＢＳの閾値は、上位層のパラメータとして設定されてもよい。
【０１４９】
次に、動作２に係わる検出されたＰＤＣＣＨに対するＰＵＳＣＨの送信プロシージャの一例について詳細に説明する。即ち、動作２はサブフレームｎにおけるＰＤＣＣＨの検出に基づいて、サブフレームｎ＋ｋにおけるＰＵＳＣＨの送信を実行する時に、ｋの値を決定する動作である。前述したように、端末装置１はケーパビリティ情報を基地局装置３へ通知（送信）してもよい。基地局装置３は、端末装置１のケーパビリティ情報に基づいて、端末装置１に用いられるｋの値を設定してもよい。また、基地局装置３は、ｋの値に対して、所定のマキシマムＴＢＳの閾値を設定してもよい。基地局装置３は、ｋの値と対応する所定のマキシマムＴＢＳの閾値をＲＲＣシグナリングによって、端末装置１に送信（通知）してもよい。即ち、対応するＰＵＳＣＨの送信タイミング（ｋの値）は、スケジューリングされたＰＵＳＣＨのＴＢＳに基づいて、決定される。
【０１５０】
図６（図６Ａ、図６Ｂ）はマキシマムＴＢＳの閾値と対応するＰＵＳＣＨの送信タイミング（ｋの値）を示す図である。異なるｋの値に対して、所定のマキシマムＴＢＳの閾値は異なって設定されてもよい。図６Ａは、所定のマキシマムＴＢＳの閾値が２つに設定された場合の一例である。図６Ｂは、マキシマムＴＢＳの閾値が１つに設定された場合の一例である。
【０１５１】
図６Ａにおいて、所定のマキシマムＴＢＳの閾値はＭａｘ  ＴＢＳ１とＭａｘ  ＴＢＳ２に設定された。端末装置１は、ＤＣＩフォーマットから算出されたＴＢＳが所定のＭａｘ  ＴＢＳ１の閾値を超えていない場合、ＰＵＳＣＨの送信タイミング（ｋの値）をｋ１に決定し（切り替え）てもよい。また、端末装置１は、算出されたＴＢＳが所定のＭａｘ
ＴＢＳ１の閾値から所定のＭａｘ  ＴＢＳ２の閾値の範囲内である場合、ＰＵＳＣＨの送信タイミング（ｋの値）をｋ２に決定し（切り替え）てもよい。また、端末装置１は、算出されたＴＢＳが所定のＭａｘ  ＴＢＳ２の閾値以上になった場合、ＰＵＳＣＨの送信タイミング（ｋの値）を４に決定し（切り替え）てもよい。ここで、ｋ１の値は２であってもよい。ｋ２の値は３であってもよい。
【０１５２】
図６Ｂにおいて、所定のマキシマムＴＢＳの閾値はＭａｘ  ＴＢＳ３に設定された。端末装置１は、ＤＣＩフォーマットから算出されたＴＢＳが所定のＭａｘ  ＴＢＳ３の閾値を超えていない場合、ＰＵＳＣＨの送信タイミング（ｋの値）をｋ３に決定し（切り替え）てもよい。また、端末装置１は、算出されたＴＢＳが所定のＭａｘ  ＴＢＳ３の閾値を超えている場合、ＰＵＳＣＨの送信タイミング（ｋの値）を４に決定し（切り替え）てもよい。ここで、ｋ３の値は２であってもよい。また、ｋ３の値は３であってもよい。
【０１５３】
図７は、動作２におけるＰＵＳＣＨの送信方法の一例を示す図である。図７のＰＵＳＣＨ送信方法は図６Ａの示すような条件として想定する。
【０１５４】
端末装置１は、７０１の下りリンクサブフレームｎにおいて、ＰＵＳＣＨをスケジューリングするＰＤＣＣＨを検出した。当該ＰＤＣＣＨで送信されるＤＣＩフォーマットに基づいて、ＰＵＳＣＨ送信用のＴＢＳが算出される。端末装置１は、算出したＴＢＳを所定のマキシマムＴＢＳの閾値と比べて、ｋの値を決定してもよい。
【０１５５】
例えば、算出されたＴＢＳが所定のＭａｘ  ＴＢＳ１を超えていない場合、ｋの値はｋ１に決定されてもよい。端末装置１は、ｋ１の値を用いて、７０２の上りリンクサブフレームｎ＋ｋ１において、７０１で検出されたＰＤＣＣＨにスケジューリングされるＰＵＳＣＨを送信してもよい。
【０１５６】
また、例えば、算出されたＴＢＳが所定のＭａｘ  ＴＢＳ１の閾値から所定のＭａｘ  ＴＢＳ２の閾値の範囲内である場合、ｋの値はｋ２に決定されてもよい。端末装置１は、ｋ２の値を用いて、７０３の上りリンクサブフレームｎ＋ｋ２において、７０１で検出されたＰＤＣＣＨにスケジューリングされるＰＵＳＣＨを送信してもよい。
【０１５７】
例えば、算出されたＴＢＳが所定のＭａｘ  ＴＢＳ２以上になった場合、ｋの値は４に決定されてもよい。端末装置１は、４であるｋの値を用いて、７０４の上りリンクサブフレームｎ＋４において、７０１で検出されたＰＤＣＣＨにスケジューリングされるＰＵＳＣＨを送信してもよい。
【０１５８】
次に、動作２に係わるＰＤＳＣＨ送信に対するＨＡＲＱ−ＡＣＫの送信プロシージャの一例について説明する。サブフレームｎ−ｊでＰＤＳＣＨが検出された場合、端末装置１は、サブフレームｎで当該ＰＤＳＣＨに対するＨＡＲＱ−ＡＣＫの送信を実行するときに、ｊの値を決定する動作である。動作２に係わるＰＵＳＣＨの送信プロシージャと同様に、基地局装置３は、端末装置１のケーパビリティ情報（能力情報）に基づいて、端末装置１に用いられるＨＡＲＱ−ＡＣＫの送信タイミング（ｊの値）を設定してもよい。また、基地局装置３は、ｊの値に対して、所定のマキシマムＴＢＳの閾値を設定してもよい。基地局装置３は、ｊの値と対応する所定のマキシマムＴＢＳの閾値をＲＲＣシグナリングによって、端末装置１に送信（通知）してもよい。即ち、対応するＨＡＲＱ−ＡＣＫの送信タイミング（ｊの値）は、スケジューリングされたＰＤＳＣＨのＴＢＳに基づいて、決定される。
【０１５９】
図８（図８Ａ、図８Ｂ）はマキシマムＴＢＳの閾値と対応するＨＡＲＱ−ＡＣＫの送信タイミング（ｊの値）を示す図である。異なるｊの値に対して、所定のマキシマムＴＢＳの閾値は異なって設定されてもよい。図８Ａは、所定のマキシマムＴＢＳの閾値が２つに設定された場合の一例である。図８Ｂは、マキシマムＴＢＳの閾値が１つに設定された場合の一例である。
【０１６０】
図８Ａにおいて、所定のマキシマムＴＢＳの閾値はＭａｘ  ＴＢＳ１とＭａｘ  ＴＢＳ２に設定された。端末装置１は、ＰＤＳＣＨをスケジューリングするＤＣＩフォーマットから算出されたＴＢＳが所定のＭａｘ  ＴＢＳ１の閾値を超えていない場合、対応するＨＡＲＱ−ＡＣＫの送信タイミング（ｊの値）をｊ１に決定し（切り替え）てもよい。また、端末装置１は、算出されたＴＢＳが所定のＭａｘ  ＴＢＳ１の閾値から所定のＭａｘ  ＴＢＳ２の閾値の範囲内である場合、対応するＨＡＲＱ−ＡＣＫの送信タイミング（ｊの値）をｊ２に決定し（切り替え）てもよい。また、端末装置１は、算出されたＴＢＳが所定のＭａｘ  ＴＢＳ２の閾値以上になった場合、対応するＨＡＲＱ−ＡＣＫの送信タイミング（ｊの値）を４に決定し（切り替え）てもよい。ここで、ｊ１の値は２であってもよい。ｊ２の値は３であってもよい。
【０１６１】
図８Ｂにおいて、所定のマキシマムＴＢＳの閾値はＭａｘ  ＴＢＳ３に設定された。端末装置１は、ＰＤＳＣＨをスケジューリングするＤＣＩフォーマットから算出されたＴＢＳが所定のＭａｘ  ＴＢＳ３の閾値を超えていない場合、対応するＨＡＲＱ−ＡＣＫの送信タイミング（ｊの値）をｊ３に決定し（切り替え）てもよい。また、端末装置１は、算出されたＴＢＳが所定のＭａｘ  ＴＢＳ３の閾値を超えている場合、対応するＨＡＲＱ−ＡＣＫの送信タイミング（ｊの値）を４に決定し（切り替え）てもよい。ここで、ｊ３の値は２であってもよい。また、ｊ３の値は３であってもよい。
【０１６２】
端末装置１は、ＰＤＳＣＨをスケジューリングするＤＣＩフォーマットに基づいて、ＰＤＳＣＨのＴＢＳを算出する。また、端末装置１は、算出したＰＤＳＣＨのＴＢＳと図８を参照することによって、ＨＡＲＱ−ＡＣＫの送信タイミング（ｊの値）を決定する。次に、端末装置１は、決定したｊの値を用いて、サブフレームｎにおいて、対応するＨＡＲＱ−ＡＣＫを送信してもよい。
【０１６３】
図８の所定のマキシマムＴＢＳの閾値（Ｍａｘ  ＴＢＳ１、Ｍａｘ  ＴＢＳ２、Ｍａｘ
ＴＢＳ３）はＨＡＲＱ−ＡＣＫの送信タイミング（ｊの値）に基づいて、設定される。図６の所定のマキシマムＴＢＳの閾値（Ｍａｘ  ＴＢＳ１、Ｍａｘ  ＴＢＳ２、Ｍａｘ  ＴＢＳ３）はＰＵＳＣＨの送信タイミング（ｋの値）に基づいて、設定される。即ち、図８の所定のマキシマムＴＢＳの閾値と図６の所定のマキシマムＴＢＳの閾値は異なってもよい。
【０１６４】
前述したように、図６と図８の所定のマキシマムＴＢＳの閾値は、基地局装置３から、ＲＲＣシグナリングによって、端末装置１に送信してもよい。また、図６と図８の所定のマキシマムＴＢＳの閾値は、仕様書などによって定義され、基地局装置３と端末装置１との間において、既知の値であってもよい。
【０１６５】
前述したように、動作２は所定の条件５０１の判断に基づいて、実行される。また動作２は所定の条件５０１の判断に基づかず、実行されてもよい。即ち、端末装置１は、ＰＵＳＣＨの送信を実行する時に、所定の条件５０１を判断しなくて、直接に動作２を実行し、ＰＵＳＣＨの送信タイミング（ｋの値）を決定し、決定されたｋの値でＰＵＳＣＨを送信してもよい。また、端末装置１、ＰＤＳＣＨに対するＨＡＲＱ−ＡＣＫの送信を実行する時に、所定の条件５０１を判断しなくて、直接に動作２を実行し、対応するＨＡＲＱ−ＡＣＫの送信タイミング（ｊの値）を決定し、決定されたｊの値で対応するＨＡＲＱ−ＡＣＫを送信してもよい。言い換えると、動作２は所定の条件５０１と独立し（関係なく）、実行されてもよい。
【０１６６】
以下、動作３について詳細に説明する。
【０１６７】
動作３において、端末装置１は、ＴＡ値と所定のマキシマムＴＡの閾値に基づいて、送信タイミング（ｋおよび／またはｊの値）を決定してもよい。前述したように、ＴＡは端末装置１の送信タイミング（ｋおよび／またはｊの値）を調整するために用いられ、送信タイミング（ｋおよび／またはｊの値）に影響を与える。送信タイミング（ｋおよび／またはｊの値）が小さくなればなるほど、ＴＡ値の影響が大きくなる。また、ここで、所定のマキシマムＴＡの閾値は図４における第４の条件に記載されたマキシマムＴＡの閾値と異なってもよい。
【０１６８】
特に、端末装置１が４より小さい値であるｋまたはｊを用いて、ＰＵＳＣＨまたはＨＡＲＱ−ＡＣＫの送信を実行する場合、且つ、ＴＡ値が大きい場合、端末装置１は、下りリンクデータ（ＰＤＣＣＨまたＰＤＳＣＨ）を受信してから、対応する上りリンクデータ（ＰＵＳＣＨまたはＨＡＲＱ−ＡＣＫ）を送信するまでに十分な処理時間を確保することができず、上りリンクデータ（ＰＵＳＣＨまたはＨＡＲＱ−ＡＣＫ）を送信できない場合がある。
【０１６９】
即ち、端末装置１が４より小さい値であるｋまたはｊを用いて、ＰＵＳＣＨまたはＨＡＲＱ−ＡＣＫの送信を実行する場合、端末装置１はｋまたはｊの値に対して、利用できるマキシマムＴＡを制限する必要がある。即ち、基地局装置３は、端末装置１のケーパビリティ情報に基づいて、端末装置１に用いられるｋおよびｊの値を決定する。また、基地局装置３は、決定されたｋおよびｊの値に対して所定のマキシマムＴＡの閾値を設定してもよい。基地局装置３は、ｋおよびｊの値と対応する所定のマキシマムＴＡの閾値をＲＲＣシグナリングによって、端末装置１に送信（通知）してもよい。
【０１７０】
図９（図９Ａ、図９Ｂ）はＰＵＳＣＨ送信タイミング（ｋの値）と対応する所定のマキシマムＴＡの閾値を示す図である。異なるｋの値に対して、所定のマキシマムＴＡの閾値は異なって設定されてもよい。図９Ａは、端末装置１がｋの値（ｋａ、ｋｂ、４）をサポートする場合、対応する所定のマキシマムＴＡの閾値が設定される一例である。図９Ｂは、端末装置１がｋの値（ｋｃ、４）をサポートする場合、対応する所定のマキシマムＴＡの閾値が設定される一例である。小さいｋの値に対して、小さい所定のマキシマムＴＡの閾値が設定されてもよい。端末装置１、現ＴＡの値と所定のマキシマムＴＡの閾値の関係に基づいて、ＴＡレポートを行うかどうかを決定してもよい。
【０１７１】
ここで、ｋａの値は２であってもよい。また、ｋｂの値は３であってもよい。また、ｋｃの値は２であってもよい、３であってもよい。
【０１７２】
以下は、動作３におけるＰＵＳＣＨの送信方法の一例を説明する。ここで、ＰＵＳＣＨ送信方法は図９Ａの示すような条件として想定し、説明する。
【０１７３】
例えば、端末装置１のＰＵＳＣＨ送信タイミング（ｋの値）が４である場合、端末装置１はＴＡ値がＭａｘ  ＴＡ２を下回るかどうかをモニタすべきである。端末装置１のＴＡ値が所定のＭａｘ  ＴＡ２を下回る場合、ＴＡレポートが実行される。即ち、端末装置１は測定したＴＡ値をＲＲＣシグナリングによって基地局装置３に報告してもよい。基地局装置３は、ＴＡ値が受信されたことを示す確認情報が含まれるＲＲＣシグナリングを端末装置１に送信する。端末装置１は当該ＲＲＣシグナリングを受信してから、ｋの値をｋｂに切り替えてもよい。つまり、端末装置１は、サブフレームｎにおいてＰＤＣＣＨを検出した場合、サブフレームｎ＋ｋｂでＰＤＣＣＨにスケジューリングされるＰＵＳＣＨを送信する。
【０１７４】
また、例えば、端末装置１の送信タイミング（ｋの値）がｋｂである場合、端末装置１は所定の２つのマキシマムＴＡの閾値Ｍａｘ  ＴＡ１とＭａｘ  ＴＡ２をモニタする。すなわち、端末装置１の送信タイミング（ｋの値）がｋｂである場合、端末装置１はＴＡ値がＭａｘ  ＴＡ１を下回るかどうか、および、ＴＡ値がＭａｘ  ＴＡ２を上回るかどうかをモニタする。端末装置１のＴＡ値が所定のＭａｘ  ＴＡ１を下回る場合、ＴＡレポートが実行される。即ち、端末装置１は測定したＴＡ値をＲＲＣシグナリングによって基地局装置３に報告してもよい。基地局装置３は、ＴＡ値が受信されたことを示す確認情報が含まれるＲＲＣシグナリングを端末装置１に送信する。端末装置１は当該ＲＲＣシグナリングを受信してから、ｋの値をｋａに切り替えてもよい。つまり、端末装置１は、サブフレームｎにおいてＰＤＣＣＨを検出した場合、サブフレームｎ＋ｋａでＰＤＣＣＨにスケジューリングされるＰＵＳＣＨを送信する。また、端末装置１のＴＡ値が所定のＭａｘ  ＴＡ２を上回る場合、ＴＡレポートが実行される。即ち、端末装置１は測定したＴＡ値をＲＲＣシグナリングによって基地局装置３に報告してもよい。基地局装置３は、ＴＡ値が受信されたことを示す確認情報が含まれるＲＲＣシグナリングを端末装置１に送信する。端末装置１は当該ＲＲＣシグナリングを受信してから、ｋの値を４に切り替えてもよい。つまり、端末装置１は、サブフレームｎにおいてＰＤＣＣＨを検出した場合、サブフレームｎ＋４でＰＤＣＣＨにスケジューリングされるＰＵＳＣＨを送信する。
【０１７５】
また、例えば、端末装置１の送信タイミング（ｋの値）がｋａである場合、端末装置１は所定のマキシマムＴＡの閾値Ｍａｘ  ＴＡ１をモニタする。すなわち、端末装置１の送信タイミング（ｋの値）がｋａである場合、端末装置１はＴＡ値がＭａｘ  ＴＡ１を上回るかどうかをモニタする。端末装置１のＴＡ値が所定のＭａｘ  ＴＡ１を上回る場合、ＴＡレポートが実行される。即ち、端末装置１は測定したＴＡ値をＲＲＣシグナリングによって基地局装置３に報告してもよい。基地局装置３は、ＴＡ値が受信されたことを示す確認情報が含まれるＲＲＣシグナリングを端末装置１に送信する。端末装置１は当該ＲＲＣシグナリングを受信してから、ｋの値をｋｂに切り替えてもよい。つまり、端末装置１は、サブフレームｎにおいてＰＤＣＣＨを検出した場合、サブフレームｎ＋ｋｂでＰＤＣＣＨにスケジューリングされるＰＵＳＣＨを送信する。
【０１７６】
図１０（図１０Ａ、図１０Ｂ）はＨＡＲＱ−ＡＣＫの送信タイミング（ｊの値）と対応する所定のマキシマムＴＡの閾値を示す図である。異なるｊの値に対して、所定のマキシマムＴＡの閾値は異なって設定されてもよい。図１０Ａは、端末装置１がｊの値（ｊａ、ｊｂ、４）をサポートする場合、対応する所定のマキシマムＴＡの閾値が設定される一例である。図１０Ｂは、端末装置１がｊの値（ｊｃ、４）をサポートする場合、対応する所定のマキシマムＴＡの閾値が設定される一例である。小さいｊの値に対して、小さい所定のマキシマムＴＡの閾値が設定されてもよい。
【０１７７】
ここで、ｊａの値は２であってもよい。また、ｊｂの値は３であってもよい。また、ｊｃの値は２であってもよい、３であってもよい。
【０１７８】
また、ここで、ｊの値に対して設定されたマキシマムＴＡの閾値（Ｍａｘ  ＴＡ１、Ｍａｘ  ＴＡ２、Ｍａｘ  ＴＡ３）はｋの値に対して設定されたマキシマムＴＡの閾値と同じであってもよい。また、ｊの値に対して設定されたマキシマムＴＡの閾値（Ｍａｘ  ＴＡ１、Ｍａｘ  ＴＡ２、Ｍａｘ  ＴＡ３）はｋの値に対して設定されたマキシマムＴＡの閾値と異なってもよい。
【０１７９】
以下は、動作３におけるＨＡＲＱ−ＡＣＫの送信方法の一例を説明する。ここで、ＨＡＲＱ−ＡＣＫ送信方法は図１０Ｂの示すよな条件として想定し、説明する。
【０１８０】
図１０Ｂの場合、例えば、端末装置１のＨＡＲＱ−ＡＣＫ送信タイミング（ｊの値）が４である場合、端末装置１はＴＡ値がＭａｘ  ＴＡ３を下回るかどうかをモニタすべきである。端末装置１のＴＡ値が所定のＭａｘ  ＴＡ３を下回る場合、ＴＡレポートが実行される。即ち、端末装置１は測定したＴＡ値をＲＲＣシグナリングによって基地局装置３に報告してもよい。基地局装置３は、ＴＡ値が受信されたことを示す確認情報が含まれるＲＲＣシグナリングを端末装置１に送信する。端末装置１は当該ＲＲＣシグナリングを受信してから、ｊの値をｊｃに切り替えてもよい。つまり、端末装置１は、サブフレームｎ―ｊｃにおいてＰＤＳＣＨを検出した場合、サブフレームｎでＰＤＳＣＨに対するＨＡＲＱ−ＡＣＫを送信する。
【０１８１】
また、例えば、端末装置１のＨＡＲＱ−ＡＣＫ送信タイミング（ｊの値）がｊｃである場合、端末装置１はＭａｘ  ＴＡ３をモニタすべきである。すなわち、端末装置１のＨＡＲＱ−ＡＣＫ送信タイミング（ｊの値）がｊｃである場合、端末装置１はＴＡ値がＭａｘ
ＴＡ３を上回るかどうかをモニタすべきである。端末装置１のＴＡ値が所定のＭａｘ  ＴＡ３を上回る場合、ＴＡレポートが実行される。即ち、端末装置１は測定したＴＡ値をＲＲＣシグナリングによって基地局装置３に報告してもよい。基地局装置３は、ＴＡ値が受信されたことを示す確認情報が含まれるＲＲＣシグナリングを端末装置１に送信する。端末装置１は当該ＲＲＣシグナリングを受信してから、ｊの値を４に切り替えてもよい。つまり、端末装置１は、サブフレームｎ―４においてＰＤＳＣＨを検出した場合、サブフレームｎでＰＤＳＣＨに対するＨＡＲＱ−ＡＣＫを送信する。
【０１８２】
前述したように、基地局装置３は、端末装置１からのＴＡレポートを受信してから、当該ＴＡレポートが受信されたことを示す確認情報が含まれるＲＲＣシグナリングを端末装置１に送信する。また、基地局装置３は、RRCシグナリングによってｋまたはｊの値を一緒に送信してもよい。端末装置１は送信タイミングを受信したＲＲＣシグナリングに含まれるｋまたはｊの値に切り替えてもよい。
【０１８３】
動作３は所定の条件５０１の判断に基づいて、実行される。また動作３は所定の条件５０１の判断に基づかず、実行されてもよい。即ち、端末装置１は、ＰＵＳＣＨの送信を実行する時に、所定の条件５０１を判断しなくて、直接に動作２を実行し、ＰＵＳＣＨの送信タイミング（ｋの値）を決定し、決定されたｋの値でＰＵＳＣＨを送信してもよい。また、端末装置１、ＰＤＳＣＨに対するＨＡＲＱ−ＡＣＫの送信を実行する時に、所定の条件５０１を判断しなくて、直接に動作３を実行し、対応するＨＡＲＱ−ＡＣＫの送信タイミング（ｊの値）を決定し、決定されたｊの値で対応するＨＡＲＱ−ＡＣＫを送信してもよい。言い換えると、動作３は所定の条件５０１と独立し（関係なく）、実行されてもよい。
【０１８４】
以下では、動作３において、端末装置１および基地局装置３は、以下の要素（Ａ）から要素（Ｇ）の一部、または、全部に少なくともに基づいて、所定のマキシマムＴＡの閾値を決定してもよい。
要素Ａ：ＰＤＳＣＨに対するＨＡＲＱ−ＡＣＫの処理時間 
要素Ｂ：ＰＤＣＣＨ（上りリンクグラント）に対するＰＵＳＣＨの処理時間
要素Ｃ：サポートするｓＴＴＩを構成するシンボルの数
要素Ｄ：ＰＤＳＣＨのマキシマムＴＢＳの閾値 
要素Ｅ：ＰＵＳＣＨのマキシマムＴＢＳの閾値
要素Ｆ：送信タイミング（ｋおよび／またはｊ）の値 
要素Ｇ：上記の能力（要素Ａから要素Ｆの一部、または、全部）を示す端末装置１のケーパビリティ情報
【０１８５】
要素Ａと要素Ｂにおいて、例えば、同じ送信タイミングの値を利用する複数の端末装置１であって、処理時間が短い端末装置１には、マキシマムＴＡの閾値が大きく設定されてもよい。
【０１８６】
要素Ｃにおいて、ｓＴＴＩを構成するシンボルの数は端末装置１の処理時間の短縮能力と関わると想定してもよい。
【０１８７】
要素Ｄと要素Ｅにおいて、ＴＢＳは送信タイミングの値に影響を与える。マキシマムＴＢＳの閾値が大きく設定された場合、マキシマムＴＡの閾値が小さく設定される必要とされる。
【０１８８】
要素Ｆは端末装置１の上りデータの送信タイミングの値である。即ち、複数の送信タイミングの値をサポートする端末装置１にとって、小さい送信タイミングの値に対応するマキシマムＴＡの閾値も小さく設定される必要がある。
【０１８９】
前述したように、動作２または動作３は送信タイミング（ｋおよびｊの値）を決定するために実行される。動作２または動作３内の何れかが実行されるのは基地局装置３によって通知（指示）されてもよい。また、端末装置１は動作２と動作３の組み合わせに基づいて、ｋおよびｊの値を決定してもよい。
【０１９０】
以下、動作２と動作３の組み合わせによって、ｋまたはｊの値を決定する方法について説明する。
【０１９１】
動作３は、ｋまたはｊの値に対して、マキシマムＴＡの閾値を制限する。前述したように、ｋまたはｊの値に対するマキシマムＴＡの閾値は、端末装置１の通信可能範囲（エリア）を制限するとしてみなされる。即ち、端末装置１にとっては、ｋまたはｊの値の各々に対して、通信可能範囲が制限されるとしてみなされる。ＴＡの値は、端末装置１と基地局装置３との間の通信距離を示すと想定してもよい。つまり、ＴＡの値は、利用（サポート）できるｋまたはｊの値を制限する。大きなＴＡの値を持つ端末装置１は、上りリンクグラントに対するＰＵＳＣＨの処理時間またはＰＤＳＣＨに対するＨＡＲＱ−ＡＣＫの処理時間を確保するために、小さい値であるｋまたはｊを利用することができない。
【０１９２】
最初に、端末装置１は動作３を行い、ＴＡの値と所定のマキシマムＴＡの閾値によって、送信タイミング（ｋまたはｊの値）を決定してもよい。決定されたｋまたはｊの値より大きい値であるｋまたはｊは送信タイミングとして利用されてもよい。決定されたｋまたはｊの値より小さい値であるｋまたはｊは、十分な処理時間を確保することができず、ＰＵＳＣＨまたはＨＡＲＱ−ＡＣＫを送信できなくなり、送信タイミングとして利用されることができない。即ち、動作３は、ＴＡの値によって、利用（サポート）できるｋまたはｊの値のセットを決定してもよい。また、ＴＡの値が変わると、利用サポート）できるｋまたはｊの値のセットの中身も変わってもよい。
【０１９３】
次に、端末装置１は動作２を行い、ＰＵＳＣＨまたはＰＤＳＣＨをスケジューリングするＤＣＩフォーマットから算出したＴＢＳをマキシマムＴＢＳの閾値と比べ、動作３から決定された利用できるｋまたはｊの値のセットの中から、１つのｋまたはｊの値を決定してもよい。詳細的に言うと、前述したように、動作２は、算出したＴＢＳとマキシマムＴＢＳの閾値に基づいて、ｋまたはｊの値を決定する。動作２に決定されたｋまたはｊの値が、動作３に決定されたｋまたはｊの値のセットに含まれれば、端末装置１は動作２に決定されたｋまたはｊの値を送信タイミングとして、利用してもよい。また、動作２に決定されたｋまたはｊの値が、動作３に決定されたｋまたはｊの値のセットに含むれなければ、端末装置１は、動作３に決定されたｋまたはｊの値のセットの中から、動作２に決定されたｋまたはｊの値と一番近く大きな値であるｋまたはｊを送信タイミングとして、利用してもよい。
【０１９４】
以下、図６Ａと図９Ａの例を参照して、動作２と動作３の組み合わせに基づいて、ｋの値を決定する一例を説明する。ここで、ｋａとｋｂが２と３に設定される。また、ｋ１とｋ２が２と３に設定される。端末装置１は２、３，４の値であるｋの何れかを送信タイミングとして、ＰＵＳＣＨを送信することができる。
【０１９５】
例えば、動作３によって、端末装置１のＴＡの値がＭａｘ  ＴＡ１を超えていない場合、図９Ａを参照して、ＰＵＳＣＨ送信に用いられるｋの値はｋａ（２）であってもよい。また、上りリンクデータの処理時間を確保したうえで、２より大きい値であるｋも送信タイミングとして利用されてもよい。即ち、端末装置１のＴＡの値がＭａｘ  ＴＡ１を超えていない場合、ＰＵＳＣＨ送信に利用できるｋの値のセットは｛２、３、４｝であってもよい。
【０１９６】
また、端末装置１は動作２を実行し、ＰＵＳＣＨをスケジューリングするＤＣＩフォーマットから算出したＴＢＳをマキシマムＴＢＳの閾値と比べ、ｋの値を決定する。ここで、例えば、ｋの値はｋ２（３）に決定される。即ち、動作２によって決定された３の値であるｋは、利用できるｋの値のセット｛２、３、４｝に含まれるので、当該３の値であるｋを用いて、ＰＵＳＣＨを送信してもよい。
【０１９７】
また、例えば、端末装置１のＴＡの値がＭａｘ  ＴＡ１からＭａｘ  ＴＡ２の閾値の範囲内である場合、ＰＵＳＣＨ送信に用いられるｋの値は３であってもよい。３より小さい値である２は送信タイミングとして利用されない。即ち、端末装置１のＴＡの値がＭａｘ
ＴＡ１からＭａｘ  ＴＡ２の閾値の範囲内である場合、ＰＵＳＣＨ送信に用いられるｋの値はセット｛３、４｝であってもよい。
【０１９８】
また、端末装置１は動作２を実行し、ＰＵＳＣＨをスケジューリングするＤＣＩフォーマットから算出したＴＢＳをマキシマムＴＢＳの閾値と比べ、ｋの値を決定する。ここで、例えば、ｋの値はｋ１（２）に決定される。即ち、動作２に決定された２の値であるｋが、動作３に決定された利用できるｋの値のセット｛３，４｝に含まれないので、端末装置１は、利用できるｋの値のセット｛３，４｝から、２と一番近く大きな値である３を選び、送信タイミングとして、利用してもよい。
【０１９９】
また、例えば、端末装置１のＴＡの値がＭａｘ  ＴＡ２以上になった場合、送信に用いられるｋの値は４である。即ち、４より小さい値であるｋは送信タイミングとして利用されない。この場合、端末装置１は、動作２が実行されるかどうかによらず、ｋの値を４に決定してもよい。
【０２００】
また、動作２と動作３の組み合わせによって、ｋまたはｊの値を決定する場合、キシマムＴＢＳの閾値は、独立する動作２での設定されたマキシマムＴＢＳの閾値と同じであってもよい。また、動作２と動作３の組み合わせに設定されるマキシマムＴＢＳの閾値は、動作２での設定されたマキシマムＴＢＳの閾値と異なって、ｋまたはｊの値に対するマキシマムＴＡの閾値に基づいて、改めて設定されてもよい。
【０２０１】
以下、本実施形態における装置の構成について説明する。
【０２０２】
図１１は、本実施形態における端末装置１の構成を示す概略ブロック図である。図に示すように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、ｓＴＴＩ制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０２０３】
上位層処理部１０１は、ユーザーの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０２０４】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０２０５】
ここで、上位層処理部１０１が備えるスケジューリング情報解釈部１０１３は、受信部１０５を介して受信したＤＣＩフォーマット（スケジューリング情報、ＵＬグラント）の解釈をし、前記ＤＣＩフォーマットを解釈した結果に基づき、受信部１０５、および送信部１０７の制御を行なうために制御情報を生成し、制御部１０３に出力する。
【０２０６】
また、上位層処理部１０１が備えるｓＴＴＩ制御部１０１５は、各種設定情報、および、パラメータなどＳＰＳに関連する情報、状況に基づいて、ｓＴＴＩ送信に関連する制御を行う。
【０２０７】
また、制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０２０８】
また、受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０２０９】
また、無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０２１０】
また、多重分離部１０５５は、抽出した信号をＰＨＩＣＨ、ＰＤＣＣＨ、ＰＤＳＣＨ、および、下りリンク参照信号に、それぞれ分離する。また、多重分離部１０５５は、チャネル測定部１０５９から入力された伝搬路の推定値から、ＰＨＩＣＨ、ＰＤＣＣＨ、および、ＰＤＳＣＨの伝搬路の補償を行なう。また、多重分離部１０５５は、分離した下りリンク参照信号をチャネル測定部１０５９に出力する。
【０２１１】
また、復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ変調方式の復調を行ない、復号化部１０５１へ出力する。復号化部１０５１は、ＰＤＣＣＨの復号を試み、復号に成功した場合、復号した下りリンク制御情報と下りリンク制御情報が対応するＲＮＴＩとを上位層処理部１０１に出力する。
【０２１２】
また、復調部１０５３は、ＰＤＳＣＨに対して、ＱＰＳＫ（Quadrature Phase Shift Keying）、１６ＱＡＭ（Quadrature Amplitude Modulation）、６４ＱＡＭ等のＤＬグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０２１３】
また、チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩ（ＣＳＩでもよい）の算出のために、チャネル測定、および／または、干渉測定を行なう。
【０２１４】
また、送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。また、送信部１０７は、上りリンク制御情報を送信する。
【０２１５】
また、符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０２１６】
また、変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０２１７】
また、上りリンク参照信号生成部１０７９は、基地局装置３を識別するための物理レイヤセル識別子（physical layer cell identity: PCI、Cell IDなどと称する。）、上りリンク参照信号を配置する帯域幅、ＵＬグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０２１８】
また、無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０２１９】
図１２は、本実施形態における基地局装置３の構成を示す概略ブロック図である。図に示すように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、ｓＴＴＩ制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０２２０】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０２２１】
また、上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０２２２】
また、上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０２２３】
また、上位層処理部３０１が備えるｓＴＴＩ制御部３０１５は、各種設定情報、および、パラメータなどＳＰＳに関連する情報、状況に基づいて、ＳＰＳに関連する制御を行う。
【０２２４】
また、制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０２２５】
また、受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。また、受信部３０５は、上りリンク制御情報を受信する。
【０２２６】
また、無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０２２７】
また、多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知したＵＬグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０２２８】
また、復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々にＵＬグラントで予め通知した変調方式を用いて受信信号の復調を行なう。復調部３０５３は、端末装置１各々にＵＬグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０２２９】
また、復号化部３０５１は、復調されたＰＵＣＣＨとＰＵＳＣＨの符号化ビットを、予め定められた符号化方式の、予め定められた、又は自装置が端末装置１にＵＬグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０２３０】
また、送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および、下りリンク参照信号を多重して、送受信アンテナ部３０９を介して端末装置１に信号を送信する。
【０２３１】
また、符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０２３２】
また、下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０２３３】
また、無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０２３４】
端末装置１と基地局装置３を構成する種々の部は、回路であってもよい。例えば、送信部１０７は送信回路１０７であってもよい。
【０２３５】
以下、本実施形態における、端末装置１および基地局装置３の種々の態様について説明する。
【０２３６】
（１）本実施形態の第１態様は、端末装置１であって、ＤＣＩフォーマットを含むＰＤＣＣＨを受信する受信部１０５と、サブフレームnにおける前記ＰＤＣＣＨの検出に基づいて、サブフレームn+ｋにおいて、対応するＰＵＳＣＨ送信を実行する送信部１０７と、を備え、前記kの値は、以下の第１の条件から第２の条件の一部、または、全部に基づいて、与えられる。
第１の条件：前記ＰＤＣＣＨが検出されたサーチスペースがＣＳＳおよびＵＳＳの何れであるか
第２の条件：前記ＤＣＩフォーマットに付加されるＣＲＣパリティビットが何れのＲＮＴＩによってスクランブルされているか。
【０２３７】
（２）本実施形態の第１態様において、前記ＵＳＳにおいてＰＤＣＣＨが検出され、前記ＤＣＩフォーマットに付加されるＣＲＣパリティビットがＣ−ＲＮＴＩによってスクランブルされている場合、前記ＤＣＩフォーマットに基づいて算出したＴＢＳとＴＢＳの閾値に基づいて、ｋの値は与えられる。
【０２３８】
（３）本実施形態の第１態様において、前記受信部１０５は前記ＴＢＳの閾値を示す情報を受信する。
【０２３９】
（４）本実施形態の第１態様において、前記ＣＳＳにおいてＰＤＣＣＨが検出され、前記ＤＣＩフォーマットに付加されるＣＲＣパリティビットがＣ−ＲＮＴＩによってスクランブルされている場合、前記ＤＣＩフォーマットに基づいて算出したＴＢＳと前記ＴＢＳの閾値に関係なく、ｋの値は与えられる。
【０２４０】
（５）本実施形態の第２態様は、端末装置１であって、ＤＣＩフォーマットを含むＰＤＣＣＨを受信し、前記ＰＤＣＣＨの検出に基づいて、対応するＰＤＳＣＨを受信する受信部１０５と、サブフレームn―ｊにおける前記ＰＤＳＣＨの送信の検出に基づいて、サブフレームnにおいて、ＨＡＲＱ−ＡＣＫ送信を実行する送信部１０７と、を備え、前記ｊの値は、以下の第１の条件から第２の条件の一部、または、全部に基づいて、与えられる。
第１の条件：前記ＰＤＣＣＨが検出されたサーチスペースがＣＳＳおよびＵＳＳの何れであるか
第２の条件：前記ＤＣＩフォーマットに付加されるＣＲＣパリティビットが何れのＲＮＴＩによってスクランブルされているか。
【０２４１】
（６）本実施形態の第２態様において、前記ＵＳＳにおいてＰＤＣＣＨが検出され、前記ＤＣＩフォーマットに付加されるＣＲＣパリティビットがＣ−ＲＮＴＩによってスクランブルされている場合、前記ＤＣＩフォーマットに基づいて算出したＴＢＳとＴＢＳの閾値に基づいて、ｊの値は与えられる。
【０２４２】
（７）本実施形態の第２態様において、前記ＣＳＳにおいてＰＤＣＣＨが検出され、前記ＤＣＩフォーマットに付加されるＣＲＣパリティビットがＣ−ＲＮＴＩによってスクランブルされている場合、前記ＤＣＩフォーマットに基づいて算出したＴＢＳと前記ＴＢＳの閾値に関係なく、ｊの値は与えられる。
【０２４３】
（８）本実施形態の第３態様は、基地局装置３であって、ＤＣＩフォーマットを含むＰＤＣＣＨを送信する送信部３０７と、サブフレームnにおける前記ＰＤＣＣＨの検出に基づいて、サブフレームn+ｋにおいて、対応するＰＵＳＣＨ受信を実行する受信部３０５と、を備え、前記kの値は、以下の第１の条件から第２の条件の一部、または、全部に基づいて、与えられる。
第１の条件：前記ＰＤＣＣＨが検出されたサーチスペースがＣＳＳおよびＵＳＳの何れであるか
第２の条件：前記ＤＣＩフォーマットに付加されるＣＲＣパリティビットが何れのＲＮＴＩによってスクランブルされているか。
【０２４４】
（９）本実施形態の第３態様において、前記ＵＳＳにおいてＰＤＣＣＨが検出され、前記ＤＣＩフォーマットに付加されるＣＲＣパリティビットがＣ−ＲＮＴＩによってスクランブルされている場合、前記ＤＣＩフォーマットに基づいて算出したＴＢＳとＴＢＳの閾値に基づいて、ｋの値は与えられる。
【０２４５】
（１０）本実施形態の第３態様において、前記送信部３０７は前記ＴＢＳの閾値を示す情報を送信する。
【０２４６】
（１１）本実施形態の第３態様において、前記ＣＳＳにおいてＰＤＣＣＨが検出され、前記ＤＣＩフォーマットに付加されるＣＲＣパリティビットがＣ−ＲＮＴＩによってスクランブルされている場合、前記ＤＣＩフォーマットに基づいて算出したＴＢＳと前記ＴＢＳの閾値に関係なく、ｋの値は与えられる。
【０２４７】
（１２）本実施形態の第４態様は、基地局装置３であって、ＤＣＩフォーマットを含むＰＤＣＣＨを送信し、前記ＰＤＣＣＨの検出に基づいて、対応するＰＤＳＣＨを送信する送信部３０７と、サブフレームn―ｊにおける前記ＰＤＳＣＨの送信の検出に基づいて、サブフレームnにおいて、ＨＡＲＱ−ＡＣＫ受信を実行する受信部３０５と、を備え、前記ｊの値は、以下の第１の条件から第２の条件の一部、または、全部に基づいて、与えられる。
第１の条件：前記ＰＤＣＣＨが検出されたサーチスペースがＣＳＳおよびＵＳＳの何れであるか
第２の条件：前記ＤＣＩフォーマットに付加されるＣＲＣパリティビットが何れのＲＮＴＩによってスクランブルされているか。
【０２４８】
（１３）本実施形態の第４態様において、前記ＵＳＳにおいてＰＤＣＣＨが検出され、前記ＤＣＩフォーマットに付加されるＣＲＣパリティビットがＣ−ＲＮＴＩによってスクランブルされている場合、前記ＤＣＩフォーマットに基づいて算出したＴＢＳとＴＢＳの閾値に基づいて、ｊの値は与えられる。
【０２４９】
（１４）本実施形態の第４態様において、前記ＣＳＳにおいてＰＤＣＣＨが検出され、前記ＤＣＩフォーマットに付加されるＣＲＣパリティビットがＣ−ＲＮＴＩによってスクランブルされている場合、前記ＤＣＩフォーマットに基づいて算出したＴＢＳと前記ＴＢＳの閾値に関係なく、ｊの値は与えられる。
【０２５０】
これにより、端末装置１は上りリンクデータを効率的に送信することができる。
【０２５１】
（１Ａ）また、本発明の態様は、端末装置であって、ＤＣＩフォーマットを含むＰＤＣＣＨを受信する受信部と、サブフレームnにおける前記ＰＤＣＣＨの検出に基づいて、サブフレームn+ｋにおいて、ＰＵＳＣＨ送信を実行する送信部と、を備え、前記kの値は、前記検出されたＰＤＣＣＨのサーチスペースが、ＣＳＳまたはＵＳＳのいずれかに基づいて、与えられる。
【０２５２】
（２Ａ）また、本発明の態様は、基地局装置であって、ＤＣＩフォーマットを含むＰＤＣＣＨを送信する送信部と、サブフレームnにおける前記ＰＤＣＣＨの検出に基づいて、サブフレームn+ｋにおいて、ＰＵＳＣＨ受信を実行する受信部と、を備え、前記kの値は、前記検出されたＰＤＣＣＨのサーチスペースが、ＣＳＳまたはＵＳＳのいずれかに基づいて、与えられる。
【０２５３】
（３Ａ）また、本発明の態様は、端末装置に用いられる通信方法であって、ＤＣＩフォーマットを含むＰＤＣＣＨを受信し、サブフレームnにおける前記ＰＤＣＣＨの検出に基づいて、サブフレームn+ｋにおいて、対応するＰＵＳＣＨ送信を実行し、前記kの値は、前記検出されたＰＤＣＣＨのサーチスペースが、ＣＳＳまたはＵＳＳのいずれかに基づいて、与えられる。
【０２５４】
（４Ａ）また、本発明の態様は、基地局装置に用いられる通信方法であって、ＤＣＩフォーマットを含むＰＤＣＣＨを送信し、サブフレームnにおける前記ＰＤＣＣＨの検出に基づいて、サブフレームn+ｋにおいて、対応するＰＵＳＣＨ受信を実行し、前記kの値は、前記検出されたＰＤＣＣＨのサーチスペースが、ＣＳＳまたはＵＳＳのいずれかに基づいて、与えられる。
【０２５５】
（５Ａ）また、本発明の態様は、端末装置に実装される集積回路であって、ＤＣＩフォーマットを含むＰＤＣＣＨを受信する受信回路と、サブフレームnにおける前記ＰＤＣＣＨの検出に基づいて、サブフレームn+ｋにおいて、対応するＰＵＳＣＨ送信を実行する送信回路と、を備え、前記kの値は、前記検出されたＰＤＣＣＨのサーチスペースが、ＣＳＳまたはＵＳＳのいずれかに基づいて、与えられる。
【０２５６】
（６Ａ）また、本発明の態様は、基地局装置に実装される集積回路であって、ＤＣＩフォーマットを含むＰＤＣＣＨを送信する送信回路と、サブフレームnにおける前記ＰＤＣＣＨの検出に基づいて、サブフレームn+ｋにおいて、対応するＰＵＳＣＨ受信を実行する受信回路と、を備え、前記kの値は、前記検出されたＰＤＣＣＨのサーチスペースが、ＣＳＳまたはＵＳＳのいずれかに基づいて、与えられる。
【０２５７】
（７Ａ）また、本発明の態様は、前記ＵＳＳにおいて前記ＰＤＣＣＨが検出された場合、ｋの値は３であり、前記ＣＳＳにおいて前記ＰＤＣＣＨが検出された場合、ｋの値は４である。
【０２５８】
（８Ａ）また、本発明の態様は、前記ＰＤＣＣＨで送信されるＤＣＩフォーマットに付加されるＣＲＣパリティビットがＣ−ＲＮＴＩによってスクランブルされている。
【０２５９】
本発明の一態様に関わる基地局装置３、および端末装置１で動作するプログラムは、本発明の一態様に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２６０】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２６１】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２６２】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２６３】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２６４】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２６５】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２６６】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２６７】
以上、この発明の実施形態に関して図面を参照して詳述してきたが、具体的な構成はこの実施形態に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２６８】
本発明の一態様は、例えば、通信システム、通信機器（例えば、携帯電話装置、基地局装置、無線ＬＡＮ装置、或いはセンサーデバイス）、集積回路（例えば、通信チップ）、又はプログラム等において、利用することができる。
【符号の説明】
【０２６９】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  ｓＴＴＩ制御部
３０１１  無線リソース制御部
３０１３  スケジューリング部
３０１５  ｓＴＴＩ制御部
【図１】
2018016619.tif 000003
【図２】
2018016619.tif 000004
【図３】
2018016619.tif 000005
【図４】
2018016619.tif 000006
【図５】
2018016619.tif 000007
【図６Ａ】
2018016619.tif 000008
【図６Ｂ】
2018016619.tif 000009
【図７】
2018016619.tif 000010
【図８Ａ】
2018016619.tif 000011
【図８Ｂ】
2018016619.tif 000012
【図９Ａ】
2018016619.tif 000013
【図９Ｂ】
2018016619.tif 000014
【図１０Ａ】
2018016619.tif 000015
【図１０Ｂ】
2018016619.tif 000016
【図１１】
2018016619.tif 000017
【図１２】
2018016619.tif 000018
【国際調査報告】
2018016619.tif 000019
2018016619.tif 000020
2018016619.tif 000021
2018016619.tif 000022